(57)【特許請求の範囲】
【請求項１】
第１アクセスポイントにおいて、第２アクセスポイントからのタイミング情報を受信することと、
前記第１アクセスポイントにおいて、前記第１アクセスポイントの位置を割り出すことと、
ネットワークエンティティーに前記位置の表示を送信することと、
前記第１アクセスポイントについてのタイミング調整値を割り出すことであって、前記タイミング調整値は前記第１アクセスポイントと前記第２アクセスポイントとの間の距離に基づいている、タイミング調整値を割り出すことと、
前記第１アクセスポイントにおいて、前記受信されたタイミング情報および前記タイミング調整値に基づいて前記第１アクセスポイントについてのタイミングを確定することと、
を具備する通信方法。
【請求項２】
前記タイミング調整値を割り出すことが、前記ネットワークエンティティーから前記タイミング調整値の表示を受信することを具備する、請求項１の方法。
【請求項３】
前記タイミング調整値の前記受信された表示は前記位置の前記表示に基づいている、請求項２の方法。
【請求項４】
前記タイミング調整値を割り出すことが、
前記第２アクセスポイントの位置の表示を受信することと、
前記第１および第２アクセスポイントの位置に基づいて前記第１および第２アクセスポイント間の信号伝播遅延時間を割り出すことと、
具備する、請求項１の方法。
【請求項５】
少なくとも１つの他のアクセスポイントからタイミング情報を受信することと、
前記第１アクセスポイントについての少なくとも１つの他のタイミング調整値を割り出すことであって、前記少なくとも１つの他のタイミング調整値は前記第１アクセスポイントと前記少なくとも１つの他のアクセスポイントとの間の少なくとも１つの距離に基づく、タイミング調整値を割り出すことと、
前記少なくとも１つの他のアクセスポイントおよび前記少なくとも１つの他のタイミング調整値からの前記タイミング情報に基づいて前記第１アクセスポイントについてのタイミングを確定することと、
をさらに含む、請求項１の方法。
【請求項６】
前記第１アクセスポイントについての前記タイミングを割り出すことが、前記タイミング調整値および少なくとも１つの他のタイミング調整値の加重平均に基づく、
請求項５の方法。
【請求項７】
前記第１アクセスポイントがフェムトノードまたはピコノードを具備する、請求項１の方法。
【請求項８】
第１アクセスポイントにおいて、第２アクセスポイントからのタイミング情報を受信するように構成された受信器と、
前記第１アクセスポイントの位置を割り出すように構成された位置割り出し器と、
ネットワークエンティティーに前記位置の表示を送信するように構成された送信器と、
前記第１アクセスポイントについてのタイミング調整値を割り出すように構成されたタイミング調整値割り出し器であって、前記タイミング調整値は前記第１アクセスポイントと前記第２アクセスポイントとの間の距離に基づいている、タイミング調整値を割り出すタイミング調整値割り出し器と、
前記受信されたタイミング情報および前記タイミング調整値に基づいて前記第１アクセスポイントについてのタイミングを確定するように構成されたタイミング確定器と、
を具備する通信装置。
【請求項９】
前記タイミング調整値を割り出すことが、前記ネットワークエンティティーから前記タイミング調整値の表示を受信することを具備する、請求項８の装置。
【請求項１０】
前記タイミング調整値の前記受信された表示は前記位置の前記表示に基づいている、請求項９の装置。
【請求項１１】
前記タイミング調整値を割り出すことが、
前記第２アクセスポイントの位置の表示を受信することと、
前記第１および第２アクセスポイントの位置に基づいて前記第１および第２アクセスポイント間の信号伝播遅延時間を割り出すことと、
具備する、請求項８の装置。
【請求項１２】
前記受信器が、少なくとも１つの他のアクセスポイントからタイミング情報を受信するようにさらに構成されており、
前記タイミング調整値割り出し器が、前記第１アクセスポイントについての少なくとも１つの他のタイミング調整値を割り出すようにさらに構成されており、
前記少なくとも１つの他のタイミング調整値が、前記第１アクセスポイントと前記少なくとも１つの他のアクセスポイントとの間の少なくとも１つの距離に基づいており、
前記タイミング確定器が、前記少なくとも１つの他のアクセスポイントおよび前記少なくとも１つの他のタイミング調整値からの前記タイミング情報に基づいて前記第１アクセスポイントについてのタイミングを確定するようにさらに構成されている、
請求項８の装置。
【請求項１３】
前記第１アクセスポイントについての前記タイミングを割り出すことが、前記タイミング調整値および少なくとも１つの他のタイミング調整値の加重平均に基づく、
請求項１２の装置。
【請求項１４】
第１アクセスポイントにおいて、第２アクセスポイントからのタイミング情報を受信するための手段と、
前記第１アクセスポイントにおいて、前記第１アクセスポイントの位置を割り出すための手段と、
ネットワークエンティティーに前記位置の表示を送信するための手段と、
前記第１アクセスポイントについてのタイミング調整値を割り出すための手段であって、前記タイミング調整値は前記第１アクセスポイントと前記第２アクセスポイントとの間の距離に基づいている、タイミング調整値を割り出すための手段と、
前記第１アクセスポイントにおいて、前記受信されたタイミング情報および前記タイミング調整値に基づいて前記第１アクセスポイントについてのタイミングを確定するための手段と、
を具備する通信装置。
【請求項１５】
前記タイミング調整値を割り出すための手段が、前記ネットワークエンティティーから前記タイミング調整値の表示を受信するための手段を具備する、請求項１４の装置。
【請求項１６】
前記タイミング調整値の前記受信された表示は前記位置の前記表示に基づいている、請求項１５の装置。
【請求項１７】
前記タイミング調整値を割り出すための手段が、
前記第２アクセスポイントの位置の表示を受信するための手段と、
前記第１および第２アクセスポイントの位置に基づいて前記第１および第２アクセスポイント間の信号伝播遅延時間を割り出すための手段と、
具備する、請求項１４の装置。
【請求項１８】
前記受信するための手段が、少なくとも１つの他のアクセスポイントからタイミング情報を受信するように構成されており、
前記タイミング調整を割り出すための手段が、前記第１アクセスポイントについての少なくとも１つの他のタイミング調整値を割り出すように構成されており、
前記少なくとも１つの他のタイミング調整値が、前記第１アクセスポイントと前記少なくとも１つの他のアクセスポイントとの間の少なくとも１つの距離に基づいており、
前記タイミングを確定するための手段が、前記少なくとも１つの他のアクセスポイントおよび前記少なくとも１つの他のタイミング調整値からの前記タイミング情報に基づいて前記第１アクセスポイントについてのタイミングを確定するように構成されている、
請求項１４の装置。
【請求項１９】
前記第１アクセスポイントについての前記タイミングを割り出すことが、前記タイミング調整値および少なくとも１つの他のタイミング調整値の加重平均に基づく、
請求項１８の装置。
【請求項２０】
第１アクセスポイントにおいて、第２アクセスポイントからのタイミング情報を受信することと、
前記第１アクセスポイントにおいて、前記第１アクセスポイントの位置を割り出すことと、
ネットワークエンティティーに前記位置の表示を送信することと、
前記第１アクセスポイントについてのタイミング調整値を割り出すことであって、前記タイミング調整値は前記第１アクセスポイントと前記第２アクセスポイントとの間の距離に基づいている、タイミング調整値を割り出すことと、
前記第１アクセスポイントにおいて、前記受信されたタイミング情報および前記タイミング調整値に基づいて前記第１アクセスポイントについてのタイミングを確定することと、
をコンピュータに行なわせるためのコードを具備するコンピュータ可読記憶媒体。
【請求項２１】
前記タイミング調整値を割り出すことが、前記ネットワークエンティティーから前記タイミング調整値の表示を受信することを具備する、請求項２０のコンピュータ可読記憶媒体。
【請求項２２】
前記タイミング調整値の前記受信された表示は前記位置の前記表示に基づいている、請求項２１のコンピュータ可読記憶媒体。
【請求項２３】
第１アクセスポイントから前記第１アクセスポイントの位置の表示を受信することと、
前記受信した表示に基づいて、前記第１アクセスポイントと第２アクセスポイントとの間の距離を割り出すことと、
前記距離に基づいて前記第１アクセスポイントについてのタイミング調整値を割り出すことと、
前記タイミング調整値の表示を前記第１アクセスポイントに送信することと、
を具備する通信方法。
【請求項２４】
前記タイミング調整値が、前記第１アクセスポイントが前記第２アクセスポイントから受信した信号に基づいて前記第１アクセスポイントが導出し得るタイミングに関する、請求項２３の方法。
【請求項２５】
前記タイミング調整値を割り出すことが、前記第１および第２アクセスポイント間の信号伝播遅延時間を割り出すことを具備する、請求項２３の方法。
【請求項２６】
前記第１アクセスポイントがフェムトノードまたはピコノードを具備する、請求項２３の方法。
【請求項２７】
第１アクセスポイントから前記第１アクセスポイントの位置の表示を受信するように構成された受信器と、
前記受信した表示に基づいて、前記第１アクセスポイントと第２アクセスポイントとの間の距離を割り出すように構成された距離割り出し器と、
前記距離に基づいて前記第１アクセスポイントについてのタイミング調整値を割り出すように構成されたタイミング調整値割り出し器と、
前記タイミング調整値の表示を前記第１アクセスポイントに送信するように構成された送信器と、
を具備する通信装置。
【請求項２８】
前記タイミング調整値が、前記第１アクセスポイントが前記第２アクセスポイントから受信した信号に基づいて前記第１アクセスポイントが導出し得るタイミングに関する、請求項２７の装置。
【請求項２９】
前記タイミング調整値を割り出すことが、前記第１および第２アクセスポイント間の信号伝播遅延時間を割り出すことを具備する、請求項２７の装置。
【請求項３０】
第１アクセスポイントから前記第１アクセスポイントの位置の表示を受信するための手段と、
前記受信した表示に基づいて、前記第１アクセスポイントと第２アクセスポイントとの間の距離を割り出すための手段と、
前記距離に基づいて前記第１アクセスポイントについてのタイミング調整値を割り出すための手段と、
前記タイミング調整値の表示を前記第１アクセスポイントに送信するための手段と、
を具備する通信装置。
【請求項３１】
前記タイミング調整値が、前記第１アクセスポイントが前記第２アクセスポイントから受信した信号に基づいて前記第１アクセスポイントが導出し得るタイミングに関する、請求項３０の装置。
【請求項３２】
前記タイミング調整値を割り出すことが、前記第１および第２アクセスポイント間の信号伝播遅延時間を割り出すことを具備する、請求項３０の装置。
【請求項３３】
第１アクセスポイントから前記第１アクセスポイントの位置の表示を受信することと、
前記受信した表示に基づいて、前記第１アクセスポイントと第２アクセスポイントとの間の距離を割り出すことと、
前記距離に基づいて前記第１アクセスポイントについてのタイミング調整値を割り出すことと、
前記タイミング調整値の表示を前記第１アクセスポイントに送信することと、
をコンピュータに行なわせるためのコードを具備するコンピュータ可読記憶媒体。
【請求項３４】
前記タイミング調整値を割り出すことが、前記距離に基づいて前記第１および第２アクセスポイント間の信号伝播遅延時間を割り出すことを具備する、
請求項３３のコンピュータ可読記憶媒体。
【発明の詳細な説明】
【米国特許法１１９条の下における優先権の主張】
【０００１】
この出願は、共通して所有されている２００７年１１月９日に提出された米国仮出願番号６０／９８６，９９２（選定代理人事件整理番号０８０１４２Ｐ１）および２００７年１１月９日に提出された米国仮出願番号６０／９８６，９２５（選定代理人事件整理番号０８０２０２Ｐ１）の利益および優先権を要求する。これら各々の開示内容は参照することによって本明細書に組み込まれる。
【技術分野】
【０００２】
この出願は、概して無線通信に関し、より具体的には（しかし、排他的ではない）１つまたは複数のアクセスポイントからの処理信号に関する。
【背景技術】
【０００３】
導入
無線通信システムは複数のユーザに様々な種類の通信内容（例えば音声、データ、マルチメディアサービスなど）を提供するために広く配備される（deploy）。高レートおよびマルチメディアデータのサービスについての需要が急速に増大するに連れて、性能強化された効率的で強健な通信システムを実現するという課題が存在する。
【０００４】
従来の携帯電話ネットワーク基地局を補うために、履域（coverage）の小さな基地局が配備されて（例えば、ユーザの住宅内に設置されて）モバイルユニットに対するより強健な屋内無線履域を提供し得る。そのような履域の小さな基地局は、概して、アクセスポイント基地局、ホームＮｏｄｅＢ、またはフェムトセルとして知られている。典型的には、そのような履域の小さな基地局はＤＳＬルータまたはケーブルモデムによってインターネットおよび携帯電話会社のネットワークに接続される。実際には、これらの履域の小さな基地局はアドホックに配備され得る。したがって、そのような基地局を配備するための改善された技術に対する要求がある。
【発明の概要】
【０００５】
本開示の実例的な側面の要約が続く。本明細書における用語の面に対する言及はいずれも本開示の１つまたは複数の側面を指し得ることが理解されるべきである。
【０００６】
本開示は、いくつかの側面において、アクセスポイントの設定（configuration）に関する。いくつかの側面では、本明細書における教示は比較的小さな履域アクセスポイントと共に使用され得る。いくつかの側面では、本明細書における教示はアクセスポイントのアドホックな配備と共に使用され得る。
【０００７】
本開示は、いくつかの点において、アクセスポイントの位置を割り出すことに関する。例えば、アクセスポイントは、いくつかの近隣マクロアクセスポイントから受信された順方向リンク信号に基づいて、自身の位置を割り出し得る。
【０００８】
本開示は、いくつかの点において、アクセスポイントのタイミングを確定すること（defining）に関する。例えば、アクセスポイントのタイミングは、別のアクセスポイントから受信される順方向リンク信号によって示されているタイミングと同期され得る。また、アクセスポイント相互間の距離の結果として、埋め合わせなかった場合に発生するであろう位相オフセット（遅延）を埋め合わせるための準備が行なわれる。
【図面の簡単な説明】
【０００９】
これらのおよび本開示の他の実例的側面は、詳細な説明、およびこれに続く添付の請求項、および添付図面に記述されるだろう。
【図１】本明細書の教示に従って、アクセスポイントが１つ以上のアクセスポイントから受信された信号に基づいて設定され（configure）得る通信システムのいくつかの実例的側面の簡略ブロック図。
【図２】無線通信のための実例的履域を例示する簡略図。
【図３】アクセスポイントおよびアクセス端末を含む無線通信システムの簡略図。
【図４】フェムトノードを含んだ無線通信システムの簡略図。
【図５】本明細書の教示に従ってアクセスポイントの位置を割り出すために行なわれ得る動作のいくつかの実例的側面のフローチャート。
【図６】本明細書の教示に従ってアクセスポイントの位置を割り出すように構成されているノードのいくつかの実例的構成要素の簡略ブロック図である。
【図７】本明細書の教示に従ってアクセスポイントの位置を割り出すために行なわれ得る動作のいくつかの実例的側面のフローチャート。
【図８】教示に従ってアクセスポイントの位置を本明細書において割り出すために行なわれ得る動作のいくつかの実例側面のフローチャート。
【図９】本明細書の教示に従ってアクセスポイントについてのタイミングを確定する（define）ために行なわれ得る動作のいくつかの実例的側面のフローチャート。
【図１０】本明細書の教示に従ってアクセスポイントのためのタイミングを確定するように構成されたノードのいくつかの実例的構成要素の簡略ブロック図。
【図１１】本明細書の教示に従ってアクセスポイントについてのタイミングを確定するために行なわれ得る動作のいくつかの実例的側面のフローチャート。
【図１２】は、本明細書の教示に従ってアクセスポイントについてのタイミングを確定するために行なわれ得る動作のいくつかの実例的側面のフローチャート。
【図１３】通信構成要素のいくつかの実例的側面の簡略ブロック図。
【図１４】本明細書において教示されるような１つ以上のアクセスポイントから受信された信号に基づいて設定されているアクセスポイントを円滑にするように構成された装置のいくつかの実例的側面の簡略的ブロック図。
【図１５】本明細書において教示されるような１つ以上のアクセスポイントから受信された信号に基づいて設定されているアクセスポイントを円滑にするように構成された装置のいくつかの実例的側面の簡略的ブロック図。
【図１６】本明細書において教示されるような１つ以上のアクセスポイントから受信された信号に基づいて設定されているアクセスポイントを円滑にするように構成された装置のいくつかの実例的側面の簡略的ブロック図。
【００１０】
一般的実務に従って、図面中で例示された様々な要素（特徴（feature））は、スケール通りではないことがある。したがって、様々な特徴の寸法は、明瞭化のために任意に拡大または縮小されている場合がある。また、図面のうちのいくつかは明瞭化のために簡素化されている場合がある。したがって、図面は、所与の装置類（例えば装置）または方法の構成要素の全てを例示していない場合がある。最後に、同様の参照数字は明細書と各図の全体にわたって類似の特徴を表わすために使用され得る。
【発明を実施するための形態】
【００１１】
本開示の様々な側面が以下に記述される。本明細書の教示が多様な形態で具現され得ること、および本明細書において開示されているあらゆる具体的な構造、機能、またはその両方が単に代表的なものであることは明らかなはずである。本明細書の教示に基づいて、当業者は、本明細書において開示されている側面が他の側面と無関係に実現されても良いし、これらの側面の２つ以上が様々な方法で組み合わせられてもよいことを認識するはずである。例えば、任意の数の本明細書において示された側面を使用して、装置が実現され、または方法が実行され得る。また、そのような装置またはそのような方法は、本明細書において示されている１つまたは複数の側面に加えて、または１つあるいは複数の側面とは以外の別の構造、機能、または構造と機能を使用して実現または実行され得る。さらに、１つの側面は、請求項の少なくとも１つの要素を具備し得る。
【００１２】
図１は、実例的通信システム１００（例えば通信網の一部）中のいくつかのノードを例示している。例示目的のため、本開示の様々な側面は、互いに通信する１つまたは複数のネットワークノード、アクセスポイント、およびアクセス端末の情況の中で記述される。しかしながら、本明細書の教示が他の種類の装置、または他の用語を使用して参照される他の同様の装置に適用可能であり得ることが認識されるはずである。
【００１３】
システム１００中のアクセスポイント１０２および隣接アクセスポイントＡ〜Ｎ（アクセスポイント１０４および１０６、ならびに関連した省略によって表わされている）は、関連する地理的区域の中に設置されている場合もあるしその中の至る所であちこち移動する場合もある１つまたは複数の無線端末（例えばアクセス端末１０８）のための１つまたは複数のサービス（例えばネットワーク接続）を提供する。また、アクセスポイント１０２〜１０６は、広域ネットワーク接続を円滑にするために１つまたは複数のネットワークノード（ネットワークノード１１０によって便宜上表わされている）と通信し得る。そのようなネットワークノードは様々な形態を取り得る。例えば１つまたは複数の無線および／またはコアネットワークエンティティー（例えば設定マネージャ、運用、管理、保持、および供給（プロビジョニング）（ＯＡＭ＆Ｐ））ネットワークエンティティー、モビリティ管理エンティティー、または他の何らかの適切なネットワークエンティティーである。
【００１４】
図１および以下の説明は、隣接アクセスポイントＡ〜Ｎの１つまたは複数からアクセスポイント１０２が受信する信号に（少なくとも一部）基づいてアクセスポイント１０２を設定するためのいくつかの技術を記述する。典型的な実現形態では、隣接アクセスポイントＡ〜Ｎは、マクロアクセスポイント（例えば後述のもの）を具備する。アクセスポイント１０２は、隣接アクセスポイントＡ〜Ｎによって送信された順方向リンク信号を受信する順方向リンク受信器１１２を含んでいる。いくつかの側面では、これらの順方向リンク信号はパイロット信号を具備し得る。例えば、システム１００中の相違するアクセスポイントは、擬似乱数（ＰＮ）シーケンスの相違する位相オフセットを有するパイロットを送信し得る。
【００１５】
次いで、アクセスポイント１０２の設定（configuration）コントローラ１１４は、これらの信号または順方向リンク上で受信される他の信号に基づいて、アクセスポイント１０２の位置を割り出すことおよびアクセスポイント１０２についてのタイミングを確定する（define）などの設定動作を行ない得る。例えば、アクセスポイント１０２の位置は、その位置と信号送信回数が知られている３つ以上の基地局からアクセスポイントがいつ信号（例えばパイロット信号）を受信したかの相対的なタイミングに基づいて割り出され得る。また、アクセスポイント１０２についてのタイミングは、アクセスポイント１０２において別のアクセスポイントから受信された信号のタイミングに基づいて確定され得る。ここで、タイミング調整が、アクセスポイント相互間の距離を補償するためになされ得る。
【００１６】
いくつかの側面では、アクセスポイント１０２は設定動作中にネットワークノード１１０と協働し得る。例えば、アクセスポイント１０２は、ネットワークノード１１０への順方向リンク信号に基づいて自身が取得した情報を送信し得、また、これを受けて、ネットワークノード１１０はアクセスポイント１０２へ設定情報を送信し得る。以下により詳細に記述されているように、そのような設定情報は、アクセスポイント１０２の位置を示し得、かつ／またはアクセスポイント１０２でのタイミング同期のためのタイミング調整値（timing adjustment）を提供し得る。
【００１７】
いくつかの側面では、本明細書において教示されているような設定方式は、マクロ履域（例えば３Ｇネットワークのような広面積セルラネットワーク（典型的にマクロセルネットワークまたは広域ネットワーク（ＷＡＮ）と称される））およびより小さな履域（例えば住宅に基づいたまたは建物に基づいたネットワーク環境（典型的にローカルエリアネットワーク（ＬＡＮ）と称される））を含むネットワーク中で使用され得る。ここで、アクセス端末（ＡＴ）がそのようなネットワーク内を移動するので、アクセス端末はある位置においてマクロ履域を提供するアクセスポイントによってサービス提供される（serve）場合があり、他方アクセス端末は他の位置においてフェムトセルの小面積履域を提供するアクセスポイントによってサービス提供される場合がある。いくつかの側面では、小面積履域ノードが使用されてインクリメンタル型の（incremental）容量成長、建物内履域、および相違するサービスを提供し得る（全て、より強健なユーザ経験につながる）。
【００１８】
本明細書における記述では、比較的広面積を覆う履域を提供するノードはマクロノードと称され得、他方、比較的小面積（例えば住宅）を覆う履域を提供するノードはフェムトノードと称され得る。本明細書の教示が他の種類の履域と関連したノードに適用可能であり得ることが認識されるはずである。例えば、ピコノードは、マクロ領域より小さく、フェムト領域より大きい領域を覆う履域（例えば商業ビル中の履域）を提供し得る。様々な適用形態では、他の用語がマクロノード、フェムトノード、または他のアクセスポイント型ノードを指すために使用され得る。例えば、マクロノードは、アクセスノード、基地局、アクセスポイント、ｅＮｏｄｅＢ、マクロセルなどとして形成されたり、または称されたりし得る。また、フェムトノードは、ホームＮｏｄｅＢ、ホームｅＮｏｄｅＢ、アクセスポイント基地局、フェムトセルなどとして形成されたり、または称されたりし得る。いくつかの実現形態では、ノードは１つ又は複数のセルまたはセクタと関連付けられ得る（例えば、１つまたは複数のセルまたはセクタに分割され得る）。マクロノード、フェムトノード、またはピコノードと関連付けられているセルまたはセクタは、マクロセル、フェムトセル、またはピコセルとそれぞれ称され得る。フェムトノードがネットワークにおいてどのように配置され得るかの簡素化された例が、次に図２〜図４を参照して記述される。
【００１９】
図２は、いくつかのトラッキングエリア（tracking area（ＬＴＥ位置登録エリア））２０２（あるいは、ルーティングエリア（routing area（パケット交換位置登録エリア））またはロケーションエリア（location are（３Ｇ位置登録エリア、回線交換位置登録エリア）））が定義されている履域の地図２００の例を例示している。トラッキングエリア２０２の各々はいくつかのマクロ履域２０４を含んでいる。ここで、トラッキングエリア２０２Ａ、２０２Ｂ、および２０２Ｃと関連付けられている履域の領域は、太線によって線引きされており、またマクロ履域２０４は六角形によって表わされている。トラッキングエリア２０２はまた、フェムト履域２０６を含んでいる。この例において、フェムト履域２０６の各々（例えばフェムト履域２０６Ｃ）は、マクロ履域２０４（例えばマクロの履域２０４Ｂ）内に例示されている。しかしながら、フェムト履域２０６が完全にマクロ履域領域２０４内に位置しない場合があることが認識されるべきである。また、１つまたは複数のピコ履域（図示せず）が、所与のトラッキングエリア２０２またはマクロ履域２０４内に定義されている場合がある。複数のフェムト履域がマクロ履域内にあり得るとともに、その中または隣接のマクロセルとに跨る得ることが認識されるはずである。
【００２０】
図３は、複数のセル３０２、例えばマクロセル３０２Ａ〜３０２Ｇ、を具備する無線通信システム３００のいくつかの側面を例示している。各セルは対応するアクセスポイント３０４（例えばアクセスポイント３０４Ａ〜３０４Ｇ）によってサービス提供されている。したがって、マクロセル３０２は図２のマクロ履域２０４に相当し得る。図３に示されているように、アクセス端末３０６（例えばアクセス端末３０６Ａ〜３０６Ｌ）は、時間とともにシステムの全体に亘る様々な位置に分散し得る。各アクセス端末３０６は、アクセス端末３０６が例えばアクティブ（active）であるかおよびソフトハンドオフ中であるかに依存して、所与の瞬間に例えば順方向リンク（ＦＬ）および／または逆方向リンク（ＲＬ）上で１つまたは複数のアクセスポイント３０４と通信し得る。無線通信システム３００は大きな地理的領域上でサービスを提供し得る。例えばマクロセル３０２Ａ〜３０２Ｇは、地域の数ブロックまたは田舎の環境での数平方マイルをカバーし得る。
【００２１】
図４は、１つまたは複数のフェムトノードがネットワーク環境（例えばシステム３００）内にどのように配備され得るかを例証するシステム４００の例である。システム４００は、比較的小面積の履域ネットワーク環境（例えば１つまたは複数のユーザ住宅４３０）に設置された複数のフェムトノード４１０（例えばフェムトノード４１０Ａおよび４１０Ｂ）を含んでいる。フェムトノード４１０は各々、ＤＳＬルータ、ケーブルモデム、無線リンク、または他の接続手段（図示せず）によって広域ネットワーク４４０（例えばインターネット）および携帯電話会社コアネットワーク４５０に接続され得る。
【００２２】
フェムトノード４１０の所有者は携帯電話会社コアネットワーク４５０を通じて提供されるモバイルサービス（例えば３Ｇモバイルサービス）に加入しているかもしれない。また、アクセス端末４２０は、マクロ環境および小面積履域（例えば住宅）ネットワーク環境の両方において動作することが可能であり得る。換言すると、アクセス端末４２０の現在の位置によって、アクセス端末４２０は、携帯電話会社コアネットワーク４５０と関連付けられているマクロセルアクセスポイント４６０によって、または１組のフェムトノード４１０（例えば対応するユーザ住宅４３０内に位置しているフェムトノード４１０Ａおよび４１０Ｂ）のうちのいずれか１つによって、サービス提供され得る。例えば、加入者が自身の住宅の外にいる場合、加入者は標準的なマクロアクセスポイント（例えばアクセスポイント４６０）によってサービス提供され得、また加入者が自身の住宅の近くまたはその中にいる場合、加入者はフェムトノード（例えばノード４１０Ａ）によってサービス提供され得る。ここで、フェムトノード４１０はレガシーアクセス端末４２０と後方互換性を有し得る。
【００２３】
次に、本明細書の教示に従って行なわれ得る設定動作に関するさらなる詳細が、図５〜図１２を参照して記述される。具体的には、図５〜図８はアクセスポイントの位置の割り出しに関し、また、図９〜図１２はアクセスポイントについてのタイミングの確定（define）に関する。
【００２４】
フェムトノードを含んでいるネットワークは、フェムトノードを設定することを円滑にする１つまたは複数のネットワークエンティティーを含み得る。例えば、そのようなエンティティーはネットワーク中で様々なノード（例えばマクロアクセスポイント）についての情報（例えば位置情報）を維持し得る。様々な実現形態では、そのようなエンティティーはスタンドアロン型構成要素として実現されていてもよいし、または他の共通ネットワーク構成要素へ統合されていてもよい。便宜上、以下の説明では、そのような機能はネットワークノード１１０において実現されているものとして記述される。
【００２５】
例示の目的のため、図５の動作（あるいは本明細書において詳述または教示されている他の動作）は、具体的な構成要素（例えばシステム１００、図６に示されているようなシステム６００、および図１０に示されているようなシステム１０００の構成要素）によって行なわれるものとして記述され得る。しかしながら、これらの動作が他の種類の構成要素によって行なわれ得ること、別の個数の構成要素を使用して行なわれ得ることが認識されるべきである。本明細書において記述されている１つまたは複数の動作が所与の実現形態で使用されない場合があることも認識されるべきである。
【００２６】
図５および図６をまず参照すると、図５は、アクセスポイントの位置を割り出すために相違するノードによって行なわれ得るいくつかの動作を記述している。また、図６は、そのような動作を行なうためにアクセスポイント１０２（例えばフェムトノードまたはピコノード）および／またはネットワークノード１１０のようなノードに組み入れられ得るいくつかの実例的構成要素を例示している。これらの動作は、例えばアクセスポイントが通信動作のために始動される前に行なわれ得る。
【００２７】
これらのノードの所与の１つについて例示されている構成要素が通信システムで１つまたは複数の他のノードに組み入れられ得ることが認識されるはずである。例えば、システム中の他のフェムトノードは、アクセスポイント１０２について記述されている構成要素に類似の構成要素を含み得る。１つのノードが、記述されている１つまたは複数の構成要素を含み得ることも認識されるはずである。例えば、アクセスポイントは、アクセスポイントが逆方向リンクおよび順方向リンク上で受信すること、複数の周波数上で動作すること、あるいは複数のアクセス端末に同時にサービス提供することを可能にする複数のトランシーバ要素を含み得る。また、本明細書において記述されている機能のうちのいくつかは複数のノード上に分散されているかもしれない。例えば、設定関連の機能はいくつかのネットワークノード中に分散されているかもしれない。
【００２８】
図６に示されているように、アクセスポイント１０２およびネットワークノード１１０は、相互におよび他のノードと通信するためのトランシーバ６０２および６０４をそれぞれ含んでいる。トランシーバは各々、信号（例えばメッセージ）を送信するためのそれぞれの送信器（送信器６０６および６０８）および信号を受信するためのそれぞれの受信器（受信器６１０および６１２）を含んでいる。
【００２９】
図６のノードはまた、本明細書において教示されているような設定動作と共に使用され得る他の構成要素を含んでいる。例えば、ノードは、他のノードとの通信を管理する（例えばメッセージ／表示（indication（示すもの（信号、情報））を送信および受信する）ための、および本明細書において教示されているような他の関連する機能を提供するためのそれぞれの通信コントローラ６１４および６１６を含み得る。１つまたは複数のノードはアクセスポイント１０２の位置を割り出すための、および本明細書において教示されているような他の関連する機能を提供するための位置割り出し器（例えば位置割り出し器６１８または６２０）を含み得る。図６の他の構成要素の実例的動作が次に記述される。
【００３０】
次に図５の動作を参照すると、ブロック５０２によって表わされているように、位置割り出し動作との協働でアクセスポイント１０２によってモニターされる予定の１つ以上の周波数帯（例えばチャネル）が特定される。いくつかの実現形態では、アクセスポイント１０２はマクロアクセスポイントのために予約されている周波数帯だけをモニターするように構成され得る（例えば、フェムトノードまたはピコノードは、そのような周波数帯上で動作することを許されていない）。このように、位置割り出し動作は、システム中の他の種類のノードより信頼できるマクロアクセスポイントから受信された信号のみに基づき得る。例えば、所与のシステムで配置され得るフェムトノードとは対照的に、マクロアクセスポイントは、常に電源投入状態であり得、そのマクロアクセスポイントは常に既知の位置に位置し得、より高い強度のパイロット信号を送信し得る。
【００３１】
アクセスポイント１０２（例えば周波数帯特定器６２２）および／またはネットワークノード１１０は、周波数帯を特定するための動作を行ない得る。例えば、いくつかの実現形態では、モニターされる周波数帯は各々予め定められており、それによってアクセスポイント１０２はこの情報をデータメモリから単に検索し得る。いくつかの実現形態では、アクセスポイント１０２は、自身が以前にパイロット信号を受信した周波数帯の記録を維持し得る。例えば、アクセスポイント１０２が以前にオフされていた場合、再電源投入の際に、そのような情報がフェムトセルの不揮発性メモリから検索され得、またはそのような情報の格納所を保持しているネットワークノード１１０からダウンロードされ得る。そのような場合、アクセスポイント１０２は、自身がそれらの周波数帯上で受信したＰＮ位相オフセットの記録を維持し得、または、アクセスポイント１０２はネットワークノード１１０からそのような記録をダウンロードし得る。このように以前に用いられたパラメータを保持することによって、アクセスポイント１０２は、パワーアップ（あるいはリセットなど）の際により速い検索を行ない得る。
【００３２】
いくつかの実現形態では、ネットワークノード１１０が周波数帯を特定し、アクセスポイント１０２へ、対応する表示を送信し得る。このことは、例えば、アクセスポイント１０２が運営者のコアネットワークにアクセスする際の初期設定工程の間に生じてアクセスポイント１０２の起動を開始し得る。
【００３３】
周波数帯の選択は様々な基準に基づき得る。例えば、いくつかの実現形態では、この選択は、具体的な顧客およびその顧客のアドレスに売られた具体的なアクセスポイントのアイデンティティーに基づき得る。いくつかの実現形態では、選択は、アクセスポイントが付されている固定の広帯域接続の終端点と関連付けられているアドレスのデータベース照合に基づき得る。
【００３４】
いくつかの実現形態では、アクセスポイント１０２は１つまたは複数のサポートされている周波数帯の組をモニターし、ネットワークノード１１０（例えばＯＡＭ＆Ｐエンティティー）にモニターの結果を示すメッセージを送信し得る。例えば、メッセージは、サポートされている周波数帯の各々の上で受信される信号（例えばマクロアクセスポイントから受信されるパイロットのＰＮシーケンス位相オフセット）を示し得る。この情報に基づいて（例えば、識別されたマクロアクセスポイントの位置に基づいて）、ネットワークノード１１０は、アクセスポイント１０２がどの（１つまたは複数の）周波数帯をモニターするかを特定し得る。
【００３５】
図５においてブロック５０４によって表わされているように、次に、アクセスポイント１０２は、特定された１つまたは複数の周波数帯をモニターして複数のアクセスポイントから信号（例えばパイロット信号）を受信し得る。いくつかの側面では、三角測量（時に三辺測量術と称される）動作のような位置割り出し動作を円滑にするために、アクセスポイント１０２は、３つ以上のアクセスポイントからの信号を取得し得る。上述のように、いくつかの実現形態では、アクセスポイント１０２は、以前にアクセスポイント１０２が受信したパイロット信号（例えばＰＮ位相オフセット）の記録を保持し得る。そのような場合、アクセスポイント１０２は、位置割り出し動作を行なうごとにこれらのパイロット信号を得ることを最初に試み得る。
【００３６】
受信器６１０は他のアクセスポイント（例えば図１中のアクセスポイントＡ〜Ｎ）から信号を受信することを円滑にするための適切な順方向リンク受信器構成要素を含み得る。ここで、アクセスポイント１０２は、アクセスポイント１０２による順方向リンク送信内容と衝突しないように順方向リンクで受信し得る。例えば、アクセスポイント１０２は、（例えばアクセスポイント１０２が起動中であってまだ順方向リンクをユーザトラヒックのために使用していない場合）、アクセスポイント１０２が順方向リンク上で送信していない期間の中で順方向リンク信号を受信し得る。また、アクセスポイント１０２は、アクセスポイント１０２が順方向リンク上での送信のために使用している周波数とは異なる周波数上で順方向リンク信号を受信し得る。そのような場合、アクセスポイント１０２は順方向リンク信号を同時に送信および受信することができ得る。
【００３７】
いくつかの実現形態では、受信器６１０は、順方向リンク受信器中で使用されるはずの機能（例えば、順方向リンク復調器、移動局モデム）の全てを含んでいない場合がある。例えば、受信器６１０は、マクロ基地局からの同期化チャネルを復号するための機能を有するが、メッセージ交換（例えばレイヤー３）機能を含まないかもしれない。いずれの場合も、そのような順方向リンク受信器の機能がアクセスポイント１０２の他の動作のために使用されることが有利である。例えば、そのような機能は、近隣リストまたは無線パラメータ（例えばパイロットＰＮオフセット）の割り当てのような他の設定動作のための他の情報を決定するために使用され得る。
【００３８】
順方向リンク受信器を使用することは、いくつかの側面において、他の方式より有効な位置割り出しをもたらし得る。例えば、位置を割り出すためにＧＰＳ受信器を使用する方式と比較して、順方向リンク受信器を使用する方式は、配置の限定がより緩く、遠隔アンテナが不要であり得る。したがって、アクセスポイントは、建物の地下室またはより低い階に配置されているとしても、信頼性を持って信号を受信し得る。対照的に、「都市キャニオン」および複数階の建物による大きく密な都市でＧＰＳ信号を信頼性を持って受信するのは難しい場合がある。そのような場合、十分な強いＧＰＳ信号の欠如ゆえに、遠隔アンテナがＧＰＳベースのシステム中で必要かもしれない。順方向リンク方式は、ＧＰＳシステムより速いタイミング取得ももたらし得る。また、そのような方式は、「セルラ認識（cellular aware）」型であり、それによって干渉（干渉波、interference）が特定されてフェムトアクセスポイントの最適な配置を円滑にし得る。
【００３９】
図５のブロック５０６によって表わされているように、近隣アクセスポイントによって生成された信号はシーケンス情報を具備し得、これらの信号を得た際にアクセスポイント１０２（例えばシーケンスプロセッサ６２４）は導出を行い得る。例えば、近隣マクロアクセスポイントは各々、異なる擬似乱数（ＰＮ）シーケンスオフセット（例えばＰＮ位相オフセット）に基づいてパイロット信号を生成し得る。したがって、シーケンスプロセッサ６２４は、相違するパイロット信号を、それらの一意的なＰＮ位相オフセットによって特定し得る。また、シーケンスプロセッサ６２４は、受信器６１０と協働して各パイロット信号の受信と関連したタイミングを割り出し得る。ここで、受信タイミングは、関連するＰＮシーケンスの所与の点（例えば開始）が受信された時点と相関を有し得る。
【００４０】
いくつかの実現形態では、ＰＮ位相オフセットに基づいて、マクロアクセスポイントまたは何らかの他の種類のノード（例えばフェムトノード）によって所与のパイロット信号が送信されたかどうかを判断することが可能であり得る。例えば、ネットワークで使用するための利用可能なＰＮ位相オフセットの既知の部分集合（subset）が、マクロアクセスポイントによる使用専用とされ得る。
【００４１】
次に、ブロック５０８によって表わされているように、アクセスポイント１０２の位置がシーケンス情報に基づいて割り出され得る。例えば、アクセスポイント１０２の位置は、アクセスポイント１０２が近隣アクセスポイントからＰＮシーケンスを受信した時点に基づいて、近隣アクセスポイントの位置に基づいて、または近隣アクセスポイントがそれぞれのＰＮシーケンスを送信した時点に基づいて割り出され得る。具体的には、近隣アクセスポイントがＰＮシーケンスを送信した時点およびアクセスポイント１０２がそのＰＮシーケンスを受信した時点に対応する伝播遅延は、これらのアクセスポイント同士の間の距離を示す（例えば信号伝播遅延期間が光の速度で除される）。したがって、アクセスポイント１０２と各近隣アクセスポイントとの間の距離はアクセスポイント１０２が受信した信号に基づいて割り出され得る。次に、三角測量動作が使用されてこれらの距離に基づいてアクセスポイント１０２の位置および近隣アクセスポイントの既知の位置を割り出し得る。
【００４２】
アクセスポイント１０２の位置が割り出されると、この位置は、さらなる設定動作または他の動作のために使用され得る。これらの動作は、例えば同期動作（例えば図９で詳述される）を含み得、運営者がアクセスポイント１０２がそのアクセスポイントが動作する許可を与えられている領域内にあることを確認することを可能にし、アクセスポイント１０２をオーバーヘッドメッセージ中で使用される情報で設定する。アクセスポイント１０２の同期に関して、アクセスポイント１０２の位置が知られている場合、アクセスポイント１０２についてのパイロットＰＮオフセットタイミング（例えば、同期のための使用される）は、ｃｄｍａ２０００または他のシステムについて、改善され得る。
【００４３】
いくつかの側面では、アクセスポイント１０２の位置は、関連するアクセス端末（例えば、これはアイドリングしているか、またはアクセスポイント１０２に接続されている）の位置の推定値として使用され得る。ここで、アクセスポイント１０２の位置は、アクセスポイント１０２の履域が比較的小さい（例えば約１０メートル）場合、アクセス端末の位置の比較的正確な推定値を提供し得る。次いで、この位置情報は非常呼（emergency call）または他の動作のために使用され得る。例えば、非常呼を行っている電話を見つけることに関して、アメリカ（また恐らく他の国々）の規則は、それが相対精度（relative precision）で発呼者の位置を割り出すことが可能であることを必要とする。発呼者の位置を電話の通信先である（または通信媒体である）マクロネットワークが割り出すことは可能であり得るが、呼がフェムトノードを使用してなされるとともにフェムトノードの位置が正確に割り出されることが可能であれば、発呼者の位置がフェムトノードの位置と同じであると仮定することがより速くかつより信頼できるものであり得る。なぜなら、フェムトノードの範囲が比較的小さいかもしれない（例えば、発呼者は、そのような呼を行う場合、必ずフェムトノードの非常に近くにいるかもしれない）からである。
【００４４】
いくつかの側面では、アクセスポイント１０２は、アクセス端末が自身の位置を割り出すことができ得るのよりも、自信の位置をより高い信頼性で割り出すことができ得る。例えば、アクセスポイント１０２の位置は比較的（例えばアクセス端末と比較して）固定され得るので、アクセスポイント１０２は連続的に近隣マクロアクセスポイントから信号を受信し得る。したがって、アクセスポイント１０２は、近隣マクロアクセスポイントの信号（例えばＣＤＭＡパイロット）を、長期間に亘って検索し得る。次いで、アクセスポイント１０２は、これらの近隣アクセスポイントからの信号を積算し（例えば、期間に亘ってエネルギーを蓄積し）、アクセスポイント１０２が信頼性を持って比較的弱いパイロット信号を取得し得るという結果を得る。ここで、アクセスポイント１０２はバッテリ消費制約によって制限されていない場合がある（一方、例えば、アクセス端末は制限されている場合がある）。また、アクセスポイント１０２は、より高い利得、受信ダイバーシチ、およびステアリング可能な要素を有しているアンテナ構成を採用することが有利であり得る。また、そのような高度なアンテナ構成は、干渉の減少および改善されたリンク性能のような他の利点を有し得る。
【００４５】
いくつかの実現形態では、他の位置割り出し技術が、本明細書において教示されている順方向リンクに基づいた方式と共に使用され得る。例えば、順方向リンクに基づいた方式によって割り出された位置を確認するために、アクセスポイント１０２が設置される世帯の緯度／経度を指定するアドレスデータベースが、一貫性の検査として使用され得る。
【００４６】
アクセスポイント１０２の実際の位置は、アクセスポイント１０２の動作によって、別のノードのアクセスポイントと独立してまたは協働によって計算され得る。例えば、図７は、ネットワークエンティティー（例えばネットワークノード１１０）が、アクセスポイント１０２によって提供されるシーケンス情報に基づいてアクセスポイント１０２の位置を計算し得る方式を記述している。そのような場合、アクセスポイント１０２は、ネットワークノード１１０にシーケンス情報を送信するとともに応答して位置の表示（indication（示すもの（信号、情報））を受信することによって、自身の位置を割り出し得る。反対に、図８は、アクセスポイントが、受信したマクロ信号および近隣アクセスポイントの位置を示す受信した情報に基づいて計算を行なうことによって、自身の位置を割り出す方式を記述している。
【００４７】
図７を参照すると、アクセスポイント１０２は、ブロック７０２によって表わされているように、マクロ基地局からパイロット信号を受信する。上に詳述されているように、アクセスポイント１０２はこれらのパイロット信号のための１つまたは複数の指定された周波数帯をモニターするように構成され得る。いくつかの実現形態では、アクセスポイント１０２は見つけられた最も強いパイロットと自身とを同期させ得る。次に、アクセスポイント１０２は、自身が受信できるパイロットの全てについて引き続き包括的な捜索を行ない得る。このように、アクセスポイント１０２は、非常に低いチップエネルギー対干渉値（例えばＥｃ／Ｉｏ）を有するパイロット信号を検出し得る。上述のように、アクセスポイント１０２は、このことを、マクロアクセスポイントからの全てのオーバーヘッドメッセージを復号するための順方向リンク受信器能力を有することなく達成し得る。
【００４８】
ブロック７０４によって表わされているように、アクセスポイント１０２は受信したパイロット信号と関連付けられているＰＮ位相オフセットを、（例えば各パイロット信号の検出と協働で）割り出し得る。すなわち、アクセスポイント１０２は、第１近隣マクロアクセスポイントから受信したパイロット信号の第１ＰＮ位相オフセット、第２近隣マクロアクセスポイントから受信したパイロット信号の第２ＰＮ位相オフセットなどを割り出し得る。
【００４９】
ブロック７０６によって表わされているように、アクセスポイント１０２はまたパイロット信号の受信と関連付けられているタイミングを割り出し得る。例えば、アクセスポイント１０２は、第１ＰＮ位相オフセット（例えばシーケンスの定義されている側面）を受信した第１時点、第２ＰＮ位相オフセットを受信した第２時点などを割り出し得る。いくつかの側面では、タイミング情報は、例えば、１つのマクロアクセスポイントからの信号の受信と、別のアクセスポイントからの信号の受信との間の時間デルタを示す相対的なタイミングを具備し得る。
【００５０】
ブロック７０８によって表わされているように、アクセスポイント１０２はネットワークノード１１０（例えばＯＡＭ＆Ｐエンティティー）にブロック７０４および７０６で得たシーケンス情報を送信する。次に、ネットワークノード１１０（例えば位置割り出し器６２０）は、シーケンス情報（例えばＰＮ位相オフセット）に基づいて既知のマクロアクセスポイントを同定することによって、アクセスポイント１０２の位置を割り出し得る。ここで、ネットワークノード１１０は、各アクセスポイントの位置（例えば緯度と経度）のようなシステム中のマクロアクセスポイントに関する情報、および各マクロアクセスポイントによって使用されるＰＮ位相オフセットを維持し得る。したがって、上に詳述されているように、ネットワークノード１１０は、検出されたマクロアクセスポイントの位置を三角測量動作において使用してアクセスポイント１０２の位置を割り出し得る。
【００５１】
次いで、ブロック７１０によって表わされているように、ネットワークノード１１０は、アクセスポイント１０２の位置の表示をアクセスポイント１０２に送信し得る。次いで、アクセスポイント１０２は本明細書において詳述されるように、この位置情報を使用し得る（例えば、アクセスポイント１０２は別のノードにこの情報を送信し得る）。
【００５２】
図８を参照すると、いくつかの実現形態では、上述のようにアクセスポイント１０２は上に詳述されているブロック７０８の動作に類似の位置割り出し動作を行ない得る。ブロック８０２および８０４において、アクセスポイント１０２はパイロット信号を受信し、上に詳述されているようにそれらの受信した信号からシーケンス情報を導出する。
【００５３】
ブロック８０６によって表わされているように、この実現形態では、アクセスポイント１０２は、近隣マクロ基地局の位置を示す情報を有するように構成されている。ここで、所与のマクロアクセスポイントについての位置情報は、そのマクロアクセスポイントによって使用されるＰＮ位相オフセットと関係付けられ得る。いくつかの実現形態では、アクセスポイント１０２は、サービス状態にある場合、この情報とともに構成され得る。いくつかの実現形態では、アクセスポイント１０２はネットワークノード１１０（例えばＯＡＭ＆Ｐエンティティー）からこの情報を受信し得る。例えば、アクセスポイント１０２は、どのパイロット信号がアクセスポイント１０２で受信されているかを示すメッセージをネットワークノード１０２に送信し得る。これを受けて、ネットワークノード１１０は、対応するマクロアクセスポイントについての位置情報をアクセスポイント１０２に送信し得る。
【００５４】
次に、ブロック８０８によって表わされているように、アクセスポイント１０２は、ブロック８０４で導出されたシーケンス情報に基づいて、またブロック８０６で得た位置情報に基づいてその位置を割り出し得る。例えば、位置割り出し器６１８は、アクセスポイント１０２から近隣アクセスポイントまでの距離を割り出し、かつアクセスポイント１０２の位置を割り出すための三角測量動作を行なうように構成され得る。
【００５５】
次に図９および図１０を参照して、アクセスポイントについてのタイミングを確定するために使用され得るいくつかの動作および構成要素が記述される。ここで、アクセスポイントのタイミングは、関連するネットワークにおいて他のノードのタイミングとの同期を維持するように制御され得る。例えば、ＣＤＭＡシステムは、システム内のアクセス端末が信頼性を持ってサーチウィンドウを使用してアクセスポイントからのＣＤＭＡ信号を得ることできるようにアクセスポイントに対して比較的厳密なタイミング許容差を命じ得る。下に記述されている設定動作は、例えば、順方向リンク送信を始める前の一度だけの動作（例えば初期設定中の動作）として実現され得る。
【００５６】
図９のブロック９０２によって表わされているように、アクセスポイント１０２（例えばフェムトノードまたはピコノード）は、別のアクセスポイント（例えば最も近いマクロアクセスポイント）からタイミング信号を受信する。例証を目的として、この他のアクセスポイントは以下の説明においてマクロアクセスポイント１０４と称される。いくつかの実現形態では、タイミング信号はタイミング基準信号（例えば、それは、絶対時点または相対時点の表示を提供する）を具備し得る。いくつかの実現形態では、タイミング信号は、アクセスポイント１０２が絶対時点または相対時点を導出する元であり得る信号を具備し得る。例えば、タイミング信号は、既知の送信時間間隔と関連付けられているパイロット信号（これは、例えばＰＮシーケンスを具備する）を具備し得る。
【００５７】
上記したのと同様のやり方で、アクセスポイント１０２は、アクセスポイント１０２のタイミングを確定するために使用される順方向リンク信号を受信するための順方向リンク受信器を取り入れ得る。そのような順方向リンクに基づいた技術を使用することを通じて、同期が、上記の利点をもたらしながら、達成され得る。例えば、同期が、ＧＰＳに基づいた同期が達成されない場合がある位置で、達成され得る。また、他の目的のための既に使用されている場合がある構成要素が同期動作のために使用されてもよく、それによって、アクセスポイント１０２の費用を減じる。例えば、順方向リンク受信器がフェムトノードにおいて使用されて、近隣リストの設定を助けたり、送信電力を設定したりし得る。
【００５８】
本明細書において記述されている同期方式はまた、他の同期方式の使用を通じて達成されるよりも正確なタイミングを提供し得る。例えば、インターネットから得られるタイミング基準は、精度および安定性（例えば約１マイクロセカンド）の所望のレベルを提供しない場合がある。また、アクセスポイントへの戻り信号（backhaul）がワイヤレスネットワーク運営者で制御されない場合があるので、戻り信号は、有効なシステム動作（例えばＣＤＭＡ動作）に必要なタイミング許容差の外側にある、ジッタの遅延を経験し得る。
【００５９】
ブロック９０４によって表わされているように、タイミング調整値が、アクセスポイント１０２と１０４との間の距離に基づいて、アクセスポイント１０２のために割り出される。このタイミング調整値は、アクセスポイント１０４がタイミング信号を送信する時点と、アクセスポイント１０２がタイミング信号を受信する時点の間の任意の遅延を補うために用いられ得る。例えば、タイミング調整値（例えば、位相遅れを表わしている）は、アクセスポイント１０４からアクセスポイント１０２への信号伝播遅延時間（これは、アクセスポイント１０２と１０４との間の距離に基づいて割り出され得る（例えば、割り出された距離が光の速度で除される））と同じとされ得る。この目的のために、システムはシステム内の基地局のアイデンティティーおよび位置を示す情報を維持し得る。
【００６０】
これらのアクセスポイントの位置は様々な方法で割り出され得る。例えば、所与のアクセスポイントの位置は本明細書において記述されているような順方向リンク三角測量技術に基づいて、ＧＰＳ技術に基づいて、アドレスデータベースに基づいて、または他の何らかの適切な技術に基づいて、割り出され得る。いくつかの実現形態では、アクセスポイント１０２および１０４は、それぞれの位置を割り出し、そして、システム中の別のノードにその情報を（適用可能な場合）提供し得る。いくつかの実現形態では、所与のノード（例えばネットワークノード１１０）は、アクセスポイント１０２および１０４の一方または両方の位置を割り出し得る。
【００６１】
次に、ブロック９０６によって表わされているように、アクセスポイント１０２（例えばタイミング確定器１００２）は、ブロック９０２で受信されたタイミング信号およびブロック９０４で割り出されたタイミング調整値に基づいて、自身のタイミングを確定し得る。こうして、アクセスポイント１０２は、自身のタイミングをアクセスポイント１０４のタイミングに同期させ得る。例として、アクセスポイント１０２と１０４との間の距離に基づいてアクセスポイント１０４からアクセスポイント１０２への信号伝播遅延が１５マイクロセカンドであると割り出された場合、タイミング信号から導出されたタイミングは、１５マイクロセカンドのタイミング調整値によって調整され（例えば、進められる）得る。
【００６２】
いくつかの実現形態では、アクセスポイント１０２についてのタイミングは、複数のノード（例えばマクロアクセスポイント）から受信されたタイミング信号に基づいて確定され得る。そのような場合、一意的なタイミング調整値が、アクセスポイント１０２と、そのタイミング信号を送信したアクセスポイントとの間の距離に基づいて、これらのタイミング信号の各々について割り出され得る。
【００６３】
いくつかの実現形態では、アクセスポイント１０２は、これらのノードの選択された１つから受信されたタイミング信号に基づいてそのタイミングを割り出す。この場合、アクセスポイント１０２は、選択されたタイミング信号に対応するタイミング調整値を使用してそのタイミングを確定し得る。
【００６４】
他の実現形態では、アクセスポイント１０２は、いくつかのノードから受信されたタイミング信号に基づいてそのタイミングを割り出し得る。例えば、アクセスポイント１０２は第１タイミング信号およびその関連するタイミング調整値を使用して第１時点値を計算し、第２タイミング信号およびその関連するタイミング調整値を使用して第２時点値を計算し得る。次いで、アクセスポイント１０２は、これらの時間値に基づいて、最終時点値を確定し得る。例えば、いくつかの実現形態では、第２時点値は第１時点値を補強するだけのために使用され得る。いくつかの実現形態では、最終時点値は時間値の組合せに基づいて計算され得る。例えば、最終時点値は、第１時点値、第２時点値などの加重平均を具備し得る。いくつかの実現形態では、加重値（重み）は、所与のソースからのタイミング信号の予測される信頼度に基づき得る。例えば、最も高い受信信号強度を有するタイミング信号はより低い受信信号強度を有するタイミング信号より高い加重値を与えられ得る。別の例においては、最も近いタイミングソースからのタイミング信号はより遠方のタイミングソースからのタイミング信号より高い加重を与えられ得る。
【００６５】
いくつかの実現形態では、アクセスポイント１０２は、自身が様々なマクロアクセスポイントからの信号に基づいて観察した位相シフト差分を測定し、この情報を使用してタイミングを確認し得る。ここで、受信された信号に基づいてアクセスポイント１０２によって計算された位相遅れ差分は、マクロアクセスポイント位置についての知識に基づいて計算された位相遅れ差分に相当すると予想され得る。
【００６６】
アクセスポイント１０２についてのタイミング調整値は、アクセスポイント１０２の動作によって、別のノードのアクセスポイント１０２と独立してまたは協働によって計算され得る。例えば、図１１は、ネットワークエンティティー（例えばネットワークノード１１０）が、アクセスポイント１０２によって提供される位置情報に基づいてタイミング調整値を計算し得る方式を記述している。そのような場合、アクセスポイント１０２は、ネットワークノード１１０に、位置情報を送信するとともに応答してタイミング調整値の表示を受信することによって、自身のタイミング調整値を割り出し得る。
【００６７】
反対に、図１２は、アクセスポイント１０２が受信されたマクロ信号およびアクセスポイント１０４の位置を示す受信された情報に基づいて、自身のタイミング調整値を割り出す方式を記述している。
【００６８】
図１１を参照すると、ブロック１１０２および１１０４は、アクセスポイント１０２（例えば位置割り出し器６１８）が自身の位置を割り出す実現形態に関する。いくつかの実現形態では、アクセスポイント１０２は、上に詳述されているような近隣マクロ基地局から受信したパイロット信号に基づいて自身の位置を割り出し得る。他の実現形態が他の技術を使用してアクセスポイント１０２の位置を割り出し得ることが認識されるはずである。ブロック１１０４によって表わされているように、この例において、アクセスポイント１０２はネットワークノード１１０（例えばＯＡＭ＆Ｐエンティティー）に自身の位置の表示を送信する。
【００６９】
ブロック１１０６によって表わされているように、ネットワークノード１１０（例えば距離割り出し器１００４）は、アクセスポイント１０２および１０４の位置に関してネットワークノード１１０が得た情報に基づいてアクセスポイント１０２と１０４との間の距離を割り出す。いくつかの実現形態では、ネットワークノード１１０は、システム中のマクロアクセスポイントの位置の記録を有するように構成され得る。したがって、ネットワークノード１１０は、アクセスポイント１０４の位置に即座にアクセスし得る。いくつかの実現形態では、ネットワークノード１１０はマクロアクセスポイント１０４からこの位置情報を受信し得る。あるいは、ネットワークノード１１０は、他の何らかの方法でこの情報を割り出し得る。アクセスポイント１０２のタイミングが複数のアクセスポイントから受信されたタイミング信号に基づいている場合、ネットワークノードは、アクセスポイント１０２とこれらのアクセスポイントの各々のとの間の距離を割り出し得る。
【００７０】
ブロック１１０８によって表わされているように、ネットワークノード１１０（例えばタイミング調整値割り出し器１００６）はアクセスポイント１０２と１０４との間の距離に基づいて（例えばブロック９０４において上で詳述されているように）アクセスポイント１０２についてのタイミング調整値を割り出す。次に、ブロック１１１０によって表わされているように、ネットワークノード１１０は、このタイミング調整値の表示および対応するマクロアクセスポイントのアイデンティティー（例えばそのアクセスポイントについてのＰＮ位相オフセット）をアクセスポイント１０２へ送信する。アクセスポイント１０２のタイミングが複数のアクセスポイントから受信されたタイミング信号に基づいている場合、ネットワークノード１１１０はこれらのタイミング信号の各々に対応するタイミング調整値を提供し得る。
【００７１】
ブロック１１１２によって表わされているように、ある時点において、アクセスポイント１０２は、アクセスポイント１０４からタイミング信号（および他のアクセスポイントからのタイミング信号（アクセスポイント１０２のタイミングがこれらのタイミング信号にも基づいている場合））を受信する。したがって、この動作は、ブロック９０２と共に上記されている動作と一致し得る。
【００７２】
次に、ブロック１１１４によって表わされているように、アクセスポイント１０２は、受信したタイミング信号および受信したタイミング調整値に基づいて、そのタイミングを確定し得る。したがって、この動作は、ブロック９０６と共に上記されている動作と一致し得る。
【００７３】
次に図１２を参照すると、上述のように、いくつかの実現形態では、アクセスポイント１０２は、上に詳述されているブロック１１０８の動作と同様に、タイミング調整値割り出し動作を行ない得る。ブロック１２０２において、アクセスポイント１０２は上に詳述されているように、自身の位置を割り出し得る。ブロック１２０４において、アクセスポイント１０２は、アクセスポイント１０４（および、随意的に、タイミング信号を送信する他のアクセスポイント）の位置の表示を受信する。例えば、アクセスポイント１０２は、アクセスポイント１０４またはネットワークノード１１０からこの表示を直接受信し得る。ブロック１２０６によって表わされているように、アクセスポイント１０２（例えばタイミング調整値割り出し器１００８）は、上に詳述されているように、アクセスポイント１０２とアクセスポイント１０４（および、随意的に、１つまたは複数の他のアクセスポイント）との間の距離に基づいてタイミング調整値を割り出す。次に、アクセスポイント１０２はブロック１２０８においてアクセスポイント１０４（また他のアクセスポイント）からタイミング信号を受信し、ブロック１２１０において受信したタイミング信号およびタイミング調整値に基づいて、そのタイミングを確定する。
【００７４】
アクセスポイント１０２は、近隣ノードに関する現在の情報（例えば位置動作についての情報）を維持し、また／または同期を維持するために、上記のような動作を、繰り返し行ない得る。例えば、アクセスポイント１０２は、一日単位（例えばネットワークトラフィックが低い夜または他の時点）でマクロアクセスポイントについての定期的な包括的捜索を行ない得る。加えて、またはこれに代えて、ネットワーク（例えばＯＡＭ＆Ｐ）は、アクセスポイント１０２に、捜索および／または再同期を行なうように命じ得る。こうして、アクセスポイント１０２は、上記の動作に影響し得るマクロシステムのあらゆる変化（例えばセルの分割、アクセスポイント１０２の近くの新しいセルの設置）を認識し得る。
【００７５】
本明細書の教示が様々な種類の通信装置において実現され得ることが認識されるはずである。いくつかの側面では、本明細書の教示は、複数の無線アクセス端末のための通信を同時にサポートし得る多元接続通信システムで採用され得る無線装置において実現され得る。ここで、各端末は、順方向リンクおよび逆方向リンク上での送信によって１つまたは複数のアクセスポイントと通信し得る。順方向リンク（あるいは下りリンク）はアクセスポイントから端末への通信リンクを指し、また逆方向リンク（あるいは上りリンク）は端末からアクセスポイントへの通信リンクを指す。この通信リンクは単入力単出力（single-in-single-out）システム、多入力多出力（multiple-in-multiple-out）（ＭＩＭＯ）システムまたは他の何らかの種類のシステムによって確立され得る。
【００７６】
ＭＩＭＯシステムはデータ送信のための複数の（ＮＴ個の）送信アンテナおよび複数の（ＮＲ個の）受信アンテナを使用する。ＮＴ個の送信アンテナおよびＮＲ個の送信アンテナによって形成されるＭＩＭＯチャネルは、ＮＳ個の独立のチャネル（これは空間チャネルとも称される）へ分解され得る。ここで、ＮＳ≦ｍｉｎ｛ＮＴ，ＮＲ｝である。ＮＳ個の独立チャネルの各々は１次元に相当する。ＭＩＭＯシステムは複数の送信アンテナおよび受信アンテナによって形成されたさらなる数の次元が利用されると、改善された性能（例えばより高いスループットおよび／またはより大きな信頼度）を提供し得る。
【００７７】
ＭＩＭＯシステムは時分割２重化（ＴＤＤ）および周波数分割２重化（ＦＤＤ）をサポートし得る。ＴＤＤ方式では、順方向リンク送信および逆方向リンク送信は、互恵主義が逆方向チャネルリンクからの順方向リンクチャネルの推定を可能にするように、同じ周波数範囲上にある。このことは、アクセスポイントが、複数のアンテナがアクセスポイントにおいて利用可能な場合に順方向リンク上で送信ビームフォーミング利得を抽出することを可能にする。
【００７８】
本明細書の教示は少なくとも１つの他のノードと通信するために様々な構成要素を使用するノード（例えば装置）に組み入れられ得る。図１３は、ノード相互間の通信を円滑にするために使用され得るいくつかの実例的構成要素を例示している。具体的には、図１３は、ＭＩＭＯシステム１３００の無線装置１３１０（例えばアクセスポイント）および無線装置１３５０を例示している。装置１３１０において、多くのデータストリームのためのトラフィックデータはデータソース１３１２から送信（ＴＸ）データプロセッサ１３１４に提供される。
【００７９】
いくつかの側面では、各データストリームは、それぞれの送信アンテナによって送信される。ＴＸデータプロセッサ１３１４は、各データストリームのためのトラフィックデータを、そのデータストリーム用の選択された具体的な符号化法に基づいてフォーマットし、符号化し、インターリーブして、符号化されたデータを提供する。
【００８０】
各データストリームのための符号化されたデータはパイロットデータとともにＯＦＤＭ技術を使用して多重化され得る。パイロットデータは、典型的に、既知のやり方で処理されるとともにチャネル応答を推定するために受信器システムで使用され得る既知のデータパターンである。次に、多重化されたパイロットと各データストリームのための符号化されたデータは、そのデータストリーム用の選択された特定の変調方式（例えばＢＰＳＫ、ＱＳＰＫ、Ｍ−ＰＳＫ、またはＭ−ＱＡＭ）に基づいて変調されて（すなわちシンボルマッピングされて）変調シンボルを提供する。各データストリームのためのデータレート、符号化、および変調は、プロセッサ１３３０によって行なわれる命令によって決定され得る。データメモリ１３３２は、プログラムコード、データ、およびプロセッサ１３３０または装置１３１０の他の構成要素によって使用される他の情報を格納し得る。
【００８１】
次に、全てのデータストリームのための変調シンボルが、ＴＸＭＩＭＯプロセッサ１３２０に提供される。ＴＸＭＩＭＯプロセッサ１３２０は、この変調シンボルをさらに（例えばＯＦＤＭのために）処理し得る。次に、ＴＸＭＩＭＯプロセッサ１３２０は、ＮＴ個の変調シンボルストリームをＮＴ個のトランシーバ（「ＸＣＶＲ」）１３２２Ａ〜１３２２Ｔに提供する。いくつかの側面では、ＴＸＭＩＭＯプロセッサ１３２０は、データストリームのシンボルと、シンボルが送信されているアンテナと、にビームフォーミング加重値を適用する。
【００８２】
各トランシーバ１３２２は、それぞれのシンボルストリームを受信するとともに処理して１つまたは複数のアナログ信号を提供し、さらに、このアナログ信号を調整（例えば、増幅、濾波、およびアップコンバート）してＭＩＭＯチャネル上の送信に適する変調された信号を提供する。次に、トランシーバ１３２２Ａ〜１３２２Ｔからの変調されたＮＴ個の信号は、それぞれＮＴ個のアンテナ１３２４Ａ〜１３２４Ｔに送信される。
【００８３】
装置１３５０において、送信された変調された信号は、ＮＲ個のアンテナ１３５２Ａ〜１３５２Ｒによって受信され、各アンテナ１３５２から受信された信号は、各トランシーバ（ＸＣＶＲ）１３５４Ａ〜１３５４Ｒに提供される。各トランシーバ１３５４は、それぞれの受信された信号を調整（例えば濾波、増幅、およびダウンコンバート）し、調整された信号をディジタル化してサンプルを提供し、さらにサンプルを処理して対応する「受信された」シンボルストリームを提供する。
【００８４】
次に、受信（ＲＸ）データプロセッサ１３６０は、特定の受信器処理技術に基づいてＮＲ個のトランシーバ１３５４から受信されたＮＲ個のシンボルストリームを受信するとともに処理してＮＴ個の「検出された」シンボルストリームを提供する。次に、ＲＸデータプロセッサ１３６０は、各検出されたシンボルストリームを復調し、デインタリーブし、および復号してデータストリームのためのトラフィックデータを回復する。ＲＸデータプロセッサ１３６０による処理は、装置１３１０のＴＸＭＩＭＯプロセッサ１３２０およびＴＸデータプロセッサ１３１４によって行なわれた処理と相補的である。
【００８５】
プロセッサ１３７０は、どの前符号化行列を使用するかを周期的に決定する（後に詳述される）。プロセッサ１３７０は、行列インデックス部およびランク値部を具備する逆方向リンクメッセージを策定する（formulate）。データメモリ１３７２はプログラムコード、データ、およびプロセッサ１３７０または装置１３５０の他の構成要素によって使用される他の情報を格納し得る。
【００８６】
逆方向リンクメッセージは、通信リンクおよび／または受信されるデータストリームに関する様々な種類の情報を具備し得る。次に、逆方向リンクメッセージは、ＴＸデータプロセッサ１３３８（これはデータソース１３３６からの多くのデータストリームのためのトラフィックデータも受信する）によって処理され、変調器１３８０によって変調され、トランシーバ１３５４Ａ〜１３５４Ｒによって調整され、また装置１３１０に送信される。
【００８７】
装置１３１０において、装置１３５０からの変調された信号は、アンテナ１３２４によって受信され、トランシーバ１３２２によって調整され、復調器（ＤＥＭＯＤ）１３４０によって復調され、またＲＸデータプロセッサ１３４２によって処理されて、装置１３５０によって送信された逆方向リンクメッセージを抽出する。次に、プロセッサ１３３０は、ビームフォーミング加重値を割り出すためにどの前符号化行列を使用するかを割り出し、次いで抽出されたメッセージを処理する。
【００８８】
図１３は、通信構成要素が本明細書において教示されているような設定（ＣＯＮＦＩＧ）制御動作を行なう１つまたは複数の構成要素を含み得ることも例示している。例えば、設定制御構成要素１３９０は、プロセッサ１３３０および／または本明細書において教示されているような別の装置（例えば装置１３５０）へ／から信号を送信する／受信するための装置１３１０の他の構成要素と協働し得る。同様に、設定制御構成要素１３９２は、プロセッサ１３７０および／または別の装置（例えば装置１３１０）へ／から信号を送信する／受信するための装置１３５０の他の構成要素と協働し得る。各装置１３１０および１３５０に関して、記述されている構成要素の２つ以上の機能が１つの構成要素によって提供され得ることが認識されるはずである。例えば、１つの処理構成要素が、設定制御構成要素１３９０およびプロセッサ１３３０の機能を提供し得、また、１つの処理構成要素が、設定制御構成要素１３９２およびプロセッサ１３７０の機能を提供し得る。
【００８９】
本明細書の教示は様々な種類の通信システムおよび／またはシステム構成要素に組み入れられ得る。いくつかの側面では、本明細書の教示は、利用可能なシステム資源の共有によって（例えば帯域幅、送信電力、符号化、インターリーブの１つまたは複数を指定することによって）、複数ユーザとの通信をサポートすることが可能である多重アクセスシステムで使用され得る。例えば、本明細書の教示は下記の技術の任意のものまたは組合せに適用され得る。すなわち、符号分割多重接続（ＣＤＭＡ）システム、マルチキャリアキャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時分割多重接続（ＴＤＭＡ）システム、周波数分割多重接続（ＦＤＭＡ）システム、シングルキャリアＦＤＭＡ（ＳＣ−ＦＤＭＡ）システム、直交周波数分割多重接続（ＯＦＤＭＡ）システム、または他の多重接続技術である。本明細書の教示を使用する無線通信システムはＩＳ−９５、ｃｄｍａ２０００、ＩＳ−８５６、Ｗ−ＣＤＭＡ、ＴＤＳＣＤＭＡ、および他の規格のような１つまたは複数の規格を実現するように設計され得る。ＣＤＭＡネットワークは、ユニバーサル地上無線アクセス（ＵＴＲＡ）、ｃｄｍａ２０００、または他の何らかの技術のような無線技術を実現し得る。ＵＴＲＡは、Ｗ−ＣＤＭＡおよび低いチップレート（ＬＣＲ）を含んでいる。ｃｄｍａ２０００技術は、ＩＳ−２０００、ＩＳ−９５、およびＩＳ−８５６規格をカバーする。ＴＤＭＡネットワークはグローバル移動体通信システム（ＧＳＭ（登録商標））のような無線技術を実現し得る。ＯＦＤＭＡネットワークは、エボルブドＵＴＲＡ（Evolved UTRA（Ｅ−ＵＴＲＡ））、ＩＥＥＥ８０２．１１、ＩＥＥＥ８０２．１６、ＩＥＥＥ８０２．２０、Flash-OFDM（米国登録商標）のような無線技術を実現し得る。ＵＴＲＡ、Ｅ−ＵＴＲＡ、およびＧＳＭは、ユニバーサルモバイルテレコミュニケーションシステム（ＵＭＴＳ）の一部である。本明細書の教示は３ＧＰＰのロングタームエボルーション（Long Term Evolution（ＬＴＥ））システム、ウルトラモバイルブロードバンド（ＵＭＢ）システム、および他の種類のシステムで実現され得る。ＬＴＥはＥ−ＵＴＲＡを使用するＵＭＴＳのリリースである。本開示の側面は、３ＧＰＰ用語を使用して記述され得るが、本明細書の教示は、３ＧＰＰ（Ｒｅ１９９、Ｒｅ１５、Ｒｅ１６、Ｒｅ１７）技術、および３ＧＰＰ２（ＩｘＲＴＴ、１ｘＥＶ−ＤＯ  ＲｅｌＯ、ＲｅｖＡ、ＲｅｖＢ）技術、および他の技術と同様に適用され得ることが理解されるべきである。
【００９０】
本明細書の教示は様々な装置（例えばノード）に組み入れられ得る（例えば、装置内でまたは装置によって実現される）。
【００９１】
いくつかの側面では、本明細書の教示に従って実現されるノード（例えば無線ノード）は、アクセスポイントまたはアクセス端末を具備し得る。
【００９２】
例えば、アクセス端末は、ユーザ装置、加入者局、加入者ユニット、移動局、モバイル、モバイルノード、遠隔局、遠隔端末装置、ユーザ端末、ユーザエージェント、ユーザ装置、または他のある用語を具備する、これらとして実現される、またはこれらとして知られているかもしれない。いくつかの実現形態では、アクセス端末は、携帯電話、コードレス電話機、セッション初期化プロトコル（ＳＩＰ）電話、ワイヤレスローカルループ（ＷＬＬ）局、携帯情報端末（ＰＤＡ）、無線接続能力を有する携帯型装置、または無線モデムに接続する他の何らかの適切な制御演算装置を具備し得る。したがって、本明細書において教示されている１つまたは複数の側面は、電話（例えば携帯電話またはスマートフォン）、コンピュータ（例えばラップトップ）、ポータブル通信装置、携帯コンピューティング機器（例えば個人用携帯情報端末）、娯楽装置（例えば音楽装置、ビデオ装置または衛星ラジオ）、全地球測位システム装置、または無線媒体によって通信するように構成されて他の適切な装置に組み入れられ得る。
【００９３】
アクセスポイントは、ＮｏｄｅＢ、ｅＮｏｄｅＢ、無線ネットワークコントローラ（ＲＮＣ）、基地局（ＢＳ）、無線基地局（ＲＢＳ）、基地局コントローラ（ＢＳＣ）、ベーストランシーバ局（ＢＴＳ）、トランシーバ機能（ＴＦ）、無線トランシーバ、無線ルータ、基本サービスセット（ＢＳＳ）、拡張サービスセット（ＥＳＳ）、または他のある同様の用語を具備し、これらとして実現され、またはこれらとして知られているかもしれない。
【００９４】
いくつかの側面では、ノード（例えばアクセスポイント）は、通信システムのためのアクセスノードを具備し得る。そのようなアクセスノードは、例えば、ネットワークへの有線通信リンクまたは無線通信リンクによってネットワーク（例えばインターネットまたはセルラネットワークのような広域ネットワーク）のための、またはネットワークへの接続を提供し得る。したがって、アクセスノードは、別のノード（例えばアクセス端末）をネットワークまたは他の何らかの機能にアクセスさせることが可能であり得る。また、一方または両方のノードが携帯型であり、場合によっては比較的非携帯型（non-portable）であり得ることが認識されるべきである。
【００９５】
また、無線ノードが、非無線的に（例えば有線接続で）情報を送信するかつ／または受信することが可能であり得ることが認識されるべきである。したがって、本明細書において詳述されているような受信器および送信器は、非無線媒体を介して通信するのに適切な通信インターフェース構成要素（例えば電気的構成要素または光インターフェース構成要素）を含み得る。
【００９６】
無線ノードは、任意の適切な無線通信技術に基づくかまたはこれをサポートする１つまたは複数の無線通信リンクを介して通信し得る。例えば、いくつかの側面では、無線ノードはネットワークと対応付けられ得る。いくつかの側面では、ネットワークはローカルエリアネットワークまたは広域ネットワークを具備し得る。無線装置は、様々な無線通信技術、プロトコル、または本明細書において詳述されているような規格（例えばＣＤＭＡ、ＴＤＭＡ、ＯＦＤＭ、ＯＦＤＭＡ、ＷｉＭＡＸ、Ｗｉ−Ｆｉなど）の１つまたは複数をサポートまたは使用し得る。同様に、無線ノードは、様々な対応する変調または多重化方式の１つまたは複数をサポートまたは使用し得る。したがって、無線ノードは、上記のまたは他の無線通信技術を使用して１つまたは複数の無線通信リンクを確立およびこれを介して通信するための適切な構成要素（例えば無線インターフェース）を含み得る。例えば、無線ノードは、無線媒体上での通信を円滑にする様々な構成要素（例えば信号発生器と信号処理器）を含み得る、関連する送信器および受信器構成要素を伴った無線トランシーバを具備し得る。
【００９７】
いくつかの実現形態では、ノード（例えばフェムトノード）は何らかの点で制限され得る。例えば、所与のフェムトノードはあるアクセス端末へのあるサービスのみを提供するように構成され得る。いわゆる制限された（またはクローズな(closed））結合（association）での設置では、所与のアクセス端末は、単にマクロセルモバイルネットワーク、および定められた組のフェムトノード（例えば図４に示されているような対応するユーザ住宅４３０内に位置しているフェムトノード４１０）のみからサービス提供され得る。例えば、図４では、各フェムトノード４１０は、関連するアクセス端末４２０（例えばアクセス端末４２０Ａ）および、随意的に、ゲストアクセス端末４２０（例えばアクセス端末４２０Ｂ）にサービス提供するように構成され得る。換言すると、フェムトノード４１０へのアクセスは制限され得、それによって所与のアクセス端末４２０は、１組の指定されたフェムトノード（例えば住居のフェムトノード）からサービス提供され得るが、非指定のフェムトノード４１０（例えば近隣のフェムトノード４１０）のいずれからもサービス提供されないかもしれない。
【００９８】
いくつかの側面では、制限されたフェムトノード（これは、クローズド（閉じた）加入者グループホーム（Closed Subscriber Group Home）ＮｏｄｅＢとも称され得る）は、制限されたプロビジョン（供給）を受ける（provisioned）アクセス端末の組にサービスを提供するフェムトノードである。この組は必要なときに、一時的にまたは恒久的に拡張され得る。いくつかの側面では、クローズド加入者グループ（Closed Subscriber Group）（ＣＳＧ）は、アクセス端末の共通アクセス制御リストを共有するアクセスポイント（例えばフェムトノード）の組として定義され得る。いくつかの実現形態では、ノードは、少なくとも１つのノードに対して、シグナリング、データアクセス、登録（registration）、ページング、またはサービスの少なくとも１つを提供しないように制限され得る。
【００９９】
したがって、様々な関係が、所与のフェムトノードと所与のアクセス端末の間に存在し得る。例えば、アクセス端末の観点から、オープン（open（開いた）フェムトノードは、オープンな結合を有するフェムトノードを指し得る（例えば、フェムトノードは、あらゆるアクセス端末へのアクセスを許可する）。制限されたフェムトノードは、何らかの点で制限されているフェムトノードを指し得る（例えば、結合および／または登録に関して制限されている）。住居フェムトノードは、その上でアクセス端末がアクセスを認められるとともに動作するフェムトノードを指し得る（例えば、恒久的アクセスが、１つまたは複数のアクセス端末の定められた組に提供される）。ゲストフェムトノードは、その上でアクセス端末が一時的にアクセスを認められるとともに動作するフェムトノードを指し得る。他の（alien）フェムトノードは、その上でアクセス端末がアクセスを認められずまた動作も行なわない（恐らく緊急事態（例えば９１１の呼び出し）を除く）フェムトノードを指し得る。
【０１００】
制限されたフェムトノードの観点から、住居アクセス端末は、制限されたフェムトノードへのアクセスを認められているアクセス端末を指し得る（例えば、アクセス端末は、フェムトノードに恒久的にアクセスする）。ゲストアクセス端末は、制限されたフェムトノードに一時的にアクセスするアクセス端末を指し得る（例えば、期限、使用時間、バイト、接続回数、または他の何らかの基準に基づいて制限される）。他の（alien）アクセス端末は、制限されたフェムトノードへのアクセスの許可を有していない（恐らく例えば９１１の呼び出しのような緊急事態を除く）アクセス端末を指し得る（例えば制限されたフェムトノードに登録するための資格や許可を有していないアクセス端末）。
【０１０１】
本明細書において記述されている構成要素は様々な方法で実現され得る。図１４〜図１６を参照すると、装置１４００、１５００、および１６００は互いに関連する一連の機能的ブロックとして表わされている。いくつかの側面では、これらのブロックの機能は１つまたは複数のプロセッサ構成要素を含んだ処理システムとして実現され得る。いくつかの側面では、これらのブロックの機能は、例えば、少なくとも１つまたは複数の集積回路（例えばＡＳＩＣ）の一部を使用して実現され得る。本明細書において詳述されているように、集積回路はプロセッサ、ソフトウェア、他の関連する構成要素、またはそれらの何らかの組合せを含み得る。これらのブロックの機能は、本明細書において教示されているような何らかの他の方法でも実現され得る。いくつかの側面では、図１４〜図１６中の破線で表わされているブロックの１つまたは複数は随意的である。
【０１０２】
装置１４００、１５００、および１６００は様々な図に関する上記の１つまたは複数の機能を行い得る１つまたは複数のモジュールを含み得る。例えば、受信手段１４０２または１５０２は、例えば受信器および／または本明細書において詳述されているような通信コントローラに相当し得る。シーケンス導出手段１４０４は、例えば本明細書において詳述されているようなシーケンスプロセッサに相当し得る。位置割り出し手段１４０６または１５０８は、例えば本明細書において詳述されているような位置割り出し器に相当し得る。周波数帯特定手段１４０８は、例えば本明細書において詳述されているような周波数帯特定器に相当し得る。タイミング調整値割り出し手段１５０４または１６０４は、例えば本明細書において詳述されているようなタイミング調整値割り出し器に相当し得る。タイミング確定手段１５０６は、例えば本明細書において詳述されるようなタイミング確定器に相当し得る。送信手段１５１０または１６０６は、例えば本明細書において詳述されているような送信器および／または通信コントローラに相当し得る。距離割り出し手段１６０２は、例えば本明細書において詳述されているような距離割り出し器に相当し得る。
【０１０３】
本明細書において「第１」、「第２」などの指定を使用しての要素へのあらゆる言及は、概してそれらの要素の量や順序を限定しないことが理解されるべきである。そうではなく、これらの指定は、２つ以上の要素または要素の例を識別する便利な方法として本明細書において使用されている。したがって、第１および第２要素への言及は、２つの要素のみがそこで使用され得ることや、第１要素がある点において第２要素に先行しなければならないことを意味しない。また、１組の要素は、そうでないとの明示が無い限り、１つまたは複数の要素を具備し得る。また、明細書および請求項において使用されている「Ａ、Ｂ、またはＣの少なくとも１つ」の形態の用語は、「ＡまたはＢまたはＣあるいはこれらの要素のあらゆる組合せ」を意味している。
【０１０４】
当業者は、情報と信号が様々な相違する技術および技術のうちの任意のものを使用して表わされ得ることを理解するだろう。例えば、上記の記述の全体に亘って参照され得るデータ、命令、コマンド、情報、信号、ビット、シンボルおよびチップは、電圧、電流、電磁波、磁場または磁性粒子、光電場または光粒子またはそれらのあらゆる組合せによって表わされ得る。
【０１０５】
当業者は、様々な説明用の論理ブロック、モジュール、プロセッサ、手段、回路、および本明細書において開示されている側面に関して記述されているアルゴリズムステップのうちの任意のものが、電子回路ハードウェア（例えばディジタルの実現形態、アナログの実現形態、または２つの組合せ（これはソースコーディングまたは他の何らかの技術を使用して設計され得る））、命令を取り入れているプログラムあるいはデザインコードの様々な形態（これらは本明細書において、便宜上、「ソフトウェア」または「ソフトウェアモジュール」と称され得る）、あるいは両方の組合せとして実現され得ることをさらに認識するだろう。このハードウェアとソフトウェアの互換性を示すために、概して、様々な説明用の要素、ブロック、モジュール、回路、およびステップは、それらの機能の観点で上に説明された。そのような機能がハードウェアとしてまたはソフトウェアとして実現されるかは、システム全体に課されている具体的な適用形態と設計制約に依存する。当業者は、記述されている機能を個々の具体的な適用形態向けの様々な形で実現し得、そのような実現形態を決定することが本開示の範囲からの逸脱を引き起こすものと解釈されるべきでない。
【０１０６】
様々な説明用の論理ブロック、モジュール、および本明細書において開示されている側面に関して記述されている回路は、集積回路（ＩＣ）、アクセス端末、またはアクセスポイントの中でまたはこれらによって実行され得る。ＩＣは、汎用プロセッサ、ディジタル信号プロセッサ（ＤＳＰ）、特定用途向け集積回路（ＡＳＩＣ）、フィールドプログラマブルゲートアレイ（ＦＰＧＡ）または他のプログラム可能論理回路、ディスクリートゲートまたはトランジスタロジック、ディスクリート型ハードウェア構成機器、電気的構成要素、光学的構成要素、機械的構成要素、あるいは、これらの本明細書において記述されている機能を行なうように設計されたあらゆる組合せを具備し、また、ＩＣ内、ＩＣ外、またはその両方に位置しているコードまたは命令を実行し得る。汎用プロセッサはマイクロプロセッサであり得、または、汎用プロセッサはあらゆる従来のプロセッサ、コントローラ、マイクロコントローラ、またはステートマシンであり得る。プロセッサは、コンピュータ装置、例えばＤＳＰとマイクロプロセッサの組合せ、複数のマイクロプロセッサ、ＤＳＰコアと協働する１つ以上のマイクロプロセッサ、またはあらゆる他のそのような構成、の組合せとして実現され得る。
【０１０７】
開示された工程中のステップのあらゆる具体的な順序または階層も、実例的アプローチの例であることが理解される。デザイン優先度に基づいて、本開示の範囲内にとどまりながら、工程中のステップの具体的な順序または階層が並べ替えられ得ることが理解される。添付の方法請求項は、実例的順序に様々なステップの要素を提供し、また提供される具体的な順序または階層に制限されることを意味されていない。
【０１０８】
記述されている機能は、ハードウェア、ソフトウェア、ファームウェア、またはそのあらゆる組合せにおいて実現され得る。ソフトウェアにおいて実現される場合、機能は１つまたは複数の指示またはコードとして、コンピュータ可読媒体上で格納または送信され得る。コンピュータ可読媒体は、コンピュータ記憶装置媒体、およびコンピュータプログラムのある位置から別の位置への移動を容易にするあらゆる媒体を含む通信媒体、の両方を含んでいる。記憶媒体は、コンピュータによってアクセスされることが可能なあらゆる利用可能な物理的媒体であり得る。限定ではなく例として、そのようなコンピュータ可読媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶装置、または命令またはデータ構造の形態の所望のプログラムコードを運ぶか格納するために使用されることが可能で且つコンピュータによってアクセスされることが可能な他のあらゆる媒体を具備し得る。また、あらゆる接続も当然、コンピュータ可読媒体と称される。例えば、ソフトウェアが、同軸ケーブル、光ファイバーケーブル、撚線対、ディジタル加入者線（ＤＳＬ）、または赤外線、無線およびマイクロ波のような無線技術を使用して、ウェブサイト、サーバまたは他の遠隔ソースから送信される場合、この同軸ケーブル、光ファイバーケーブル、撚線対、ＤＳＬ、または赤外線、無線およびマイクロ波のような無線技術は、媒体の定義に含まれている。
【０１０９】
本明細書において使用されているディスク（ｄｉｓｋ）とディスク（ｄｉｓｃ）は、コンパクトディスク（ＣＤ）、レーザーディスク（登録商標）、光ディスク、ディジタル多用途ディスク（ＤＶＤ）、フロッピー（登録商標）ディスクおよびブルーレイ・ディスクを含んでいる。ここで、ディスク（ｄｉｓｋ）は通常磁気的にデータを再生し、他方、ディスク（ｄｉｓｃ）はレーザーでデータを光学的に再生する。上記のものの組合せもコンピュータ可読媒体の範囲内に含まれるべきである。要約すれば、コンピュータ可読媒体があらゆる適切なコンピュータプログラム製品において実現され得ることは認識されるべきである。上に開示されている側面の記述は、あらゆる当業者が本開示を実行または使用することを可能にするために提供されている。これらの側面に対する様々な修正は当業者にとって容易に明らかになり、また、本明細書において定義されている包括的な原理は、本開示の範囲から逸脱することなく他の側面に適用され得る。したがって、本発明は、本明細書において示されている側面に制限されることを意図されておらず、本明細書において開示されている原理および新規な特徴と一貫している最も広い範囲と一致するべきである。
以下に、本願出願時の特許請求の範囲に記載された発明を付記する。
［１］第１アクセスポイントにおいて複数のアクセスポイントからパイロット信号を受信することと、
前記受信されたパイロット信号からシーケンス情報を導出することであって、前記シーケンス情報は前記複数のアクセスポイントと関連付けられている相違するシーケンス位相オフセットを示しかつ前記複数のアクセスポイントからの前記パイロット信号の受信と関連付けられているタイミングを示す、シーケンス情報を導出することと、
前記シーケンス情報に基づいて前記第１アクセスポイントの位置を割り出すことと、
を具備する通信方法。
［２］前記位置を割り出すことが、
ネットワークエンティティーに前記シーケンス情報を送ることと、
前記ネットワークエンティティーから前記位置の表示を受信することであって、前記表示は前記シーケンス情報に基づいている、表示を受信することと、
を具備する、［１］の方法。
［３］前記位置を割り出すことが、
前記複数のアクセスポイントの位置を示す位置情報を受信することと、
前記シーケンス情報および前記位置情報に基づいて前記第１アクセスポイントの前記位置を割り出すことと、
を具備する、［１］の方法。
［４］前記位置を割り出すことが三角測量動作を具備する、［３］の方法。
［５］前記シーケンス情報を導出することが、
前記複数のアクセスポイントと関連付けられている擬似乱数シーケンスオフセットを特定することと、
前記複数のアクセスポイントからの擬似乱数シーケンスの受信と関連付けられているタイミングを割り出すことと、
を具備する、［１］の方法。
［６］前記受信されたパイロット信号と関連付けられている少なくとも１つのパラメータが、後続のパイロット信号捜索での使用のために格納され、
前記少なくとも１つのパラメータが、モニターされている周波数帯および／または検出された擬似乱数位相オフセットを具備する、
［１］の方法。
［７］マクロアクセスポイントのために予約されている周波数帯を特定することと、
前記パイロット信号を受け取るために前記特定された周波数帯をモニターすることと、
をさらに含む、［１］の方法。
［８］前記周波数帯を特定することが、ネットワークエンティティーから前記周波数帯の表示を受け取ることを具備する、［７］の方法。
［９］前記周波数帯を特定することが、
少なくとも１つのサポートされている周波数帯をモニターすることと、
前記少なくとも１つのサポートされている周波数帯をモニターすることの結果として少なくとも１つの信号が受信されたことを示すメッセージを送信することであって、前記周波数帯の表示が前記メッセージに応答して受信される、メッセージを送信することと、
を具備する、［７］の方法。
［１０］前記第１アクセスポイントがフェムトノードまたはピコノードを具備する、［１］の方法。
［１１］第１アクセスポイントにおいて複数のアクセスポイントからパイロット信号を受信するように構成された受信器と、
前記受信されたパイロット信号からシーケンス情報を導出するように構成されたシーケンスプロセッサであって、前記シーケンス情報は前記複数のアクセスポイントと関連付けられている相違するシーケンス位相オフセットを示しかつ前記複数のアクセスポイントからの前記パイロット信号の受信と関連付けられているタイミングを示す、シーケンスプロセッサと、
前記シーケンス情報に基づいて前記第１アクセスポイントの位置を割り出すように構成された位置割り出し器と、
を具備する通信装置。
［１２］前記位置を割り出すことが、
ネットワークエンティティーに前記シーケンス情報を送ることと、
前記ネットワークエンティティーから前記位置の表示を受信することであって、前記表示は前記シーケンス情報に基づいている、表示を受信することと、
を具備する、［１１］の装置。
［１３］前記位置を割り出すことが、
前記複数のアクセスポイントの位置を示す位置情報を受信することと、
前記シーケンス情報および前記位置情報に基づいて前記第１アクセスポイントの前記位置を割り出すことと、
を具備する、［１１］の装置。
［１４］前記位置を割り出すことが三角測量動作を具備する、［１３］の装置。
［１５］前記シーケンス情報を導出することが、
前記複数のアクセスポイントと関連付けられている擬似乱数シーケンスオフセットを特定することと、
前記複数のアクセスポイントからの擬似乱数シーケンスの受信と関連付けられているタイミングを割り出すことと、
を具備する、［１１］の装置。
［１６］前記受信されたパイロット信号と関連付けられている少なくとも１つのパラメータが、後続のパイロット信号捜索での使用のために格納され、
前記少なくとも１つのパラメータが、モニターされている周波数帯および／または検出された擬似乱数位相オフセットを具備する、
［１１］の装置。
［１７］マクロアクセスポイントのために予約されている周波数帯を特定するように構成された周波数帯特定器をさらに具備し、
前記受信器が、前記パイロット信号を受け取るために前記特定された周波数帯をモニターするようにさらに構成されている、
［１１］の装置。
［１８］前記周波数帯を特定することが、ネットワークエンティティーから前記周波数帯の表示を受け取ることを具備する、［１７］の装置。
［１９］前記周波数帯を特定することが、
少なくとも１つのサポートされている周波数帯をモニターすることと、
前記少なくとも１つのサポートされている周波数帯をモニターすることの結果として少なくとも１つの信号が受信されたことを示すメッセージを送信することであって、前記周波数帯の表示が前記メッセージに応答して受信される、メッセージを送信することと、
を具備する、［１７］の装置。
［２０］第１アクセスポイントにおいて複数のアクセスポイントからパイロット信号を受信するための手段と、
前記受信されたパイロット信号からシーケンス情報を導出するための手段であって、前記シーケンス情報は前記複数のアクセスポイントと関連付けられている相違するシーケンス位相オフセットを示しかつ前記複数のアクセスポイントからの前記パイロット信号の受信と関連付けられているタイミングを示す、シーケンス情報を導出するための手段と、
前記シーケンス情報に基づいて前記第１アクセスポイントの位置を割り出すための手段と、
を具備する装置。
［２１］前記位置を割り出すことが、
ネットワークエンティティーに前記シーケンス情報を送ることと、
前記ネットワークエンティティーから前記位置の表示を受信することであって、前記表示は前記シーケンス情報に基づいている、表示を受信することと、
を具備する、［２０］の装置。
［２２］前記位置を割り出すことが、
前記複数のアクセスポイントの位置を示す位置情報を受信することと、
前記シーケンス情報および前記位置情報に基づいて前記第１アクセスポイントの前記位置を割り出すことと、
を具備する、［２０］の装置。
［２３］前記位置を割り出すことが三角測量動作を具備する、［２２］の装置。
［２４］前記シーケンス情報を導出することが、
前記複数のアクセスポイントと関連付けられている擬似乱数シーケンスオフセットを特定することと、
前記複数のアクセスポイントからの擬似乱数シーケンスの受信と関連付けられているタイミングを割り出すことと、
を具備する、［２０］の装置。
［２５］前記受信されたパイロット信号と関連付けられている少なくとも１つのパラメータが、後続のパイロット信号捜索での使用のために格納され、
前記少なくとも１つのパラメータが、モニターされている周波数帯および／または検出された擬似乱数位相オフセットを具備する、
［２０］の装置。
［２６］マクロアクセスポイントのために予約されている周波数帯を特定するための手段をさらに具備し、
前記受信するための手段が、前記パイロット信号を受け取るために前記特定された周波数帯をモニターするように構成されている、
［２０］の装置。
［２７］前記周波数帯を特定することが、ネットワークエンティティーから前記周波数帯の表示を受け取ることを具備する、［２６］の装置。
［２８］前記周波数帯を特定することが、
少なくとも１つのサポートされている周波数帯をモニターすることと、
前記少なくとも１つのサポートされている周波数帯をモニターすることの結果として少なくとも１つの信号が受信されたことを示すメッセージを送信することであって、前記周波数帯の表示が前記メッセージに応答して受信される、メッセージを送信することと、
を具備する、［２６］の装置。
［２９］第１アクセスポイントにおいて複数のアクセスポイントからパイロット信号を受信することと、
前記受信されたパイロット信号からシーケンス情報を導出することであって、前記シーケンス情報は前記複数のアクセスポイントと関連付けられている相違するシーケンス位相オフセットを示しかつ前記複数のアクセスポイントからの前記パイロット信号の受信と関連付けられているタイミングを示す、シーケンス情報を導出することと、
前記シーケンス情報に基づいて前記第１アクセスポイントの位置を割り出すことと、
をコンピュータに行なわせるためのコードを具備するコンピュータ可読媒体を具備するコンピュータプログラム製品。
［３０］前記位置を割り出すことが、
ネットワークエンティティーに前記シーケンス情報を送ることと、
前記ネットワークエンティティーから前記位置の表示を受信することであって、前記表示は前記シーケンス情報に基づいている、表示を受信することと、
を具備する、［２９］のコンピュータプログラム製品。
［３１］前記位置を割り出すことが、
前記複数のアクセスポイントの位置を示す位置情報を受信することと、
前記シーケンス情報および前記位置情報に基づいて前記第１アクセスポイントの前記位置を割り出すことと、
を具備する、［２９］のコンピュータプログラム製品。
［３２］第１アクセスポイントにおいて、第２アクセスポイントからのタイミング情報を受信することと、
前記第１アクセスポイントについてのタイミング調整値を割り出すことであって、前記タイミング調整値は前記第１アクセスポイントと前記第２アクセスポイントとの間の距離に基づいている、タイミング調整値を割り出すことと、
前記受信されたタイミング情報および前記タイミング調整値に基づいて前記第１アクセスポイントについてのタイミングを確定することと、
を具備する通信方法。
［３３］前記タイミング調整値を割り出すことが、ネットワークエンティティーから前記タイミング調整値の表示を受信することを具備する、［３２］の方法。
［３４］前記第１アクセスポイントの位置を割り出すことと、
前記ネットワークエンティティーに前記位置の表示を送信することであって、前記タイミング調整値の前記受信された表示は前記位置の前記表示に基づいている、表示を送信することと、
をさらに含む、［３３］の方法。
［３５］前記タイミング調整値を割り出すことが、
前記第１アクセスポイントの位置を割り出すことと、
前記第２アクセスポイントの位置の表示を受信することと、
前記第１および第２アクセスポイントの位置に基づいて前記第１および第２アクセスポイント間の信号伝播遅延時間を割り出すことと、
具備する、［３２］の方法。
［３６］少なくとも１つの他のアクセスポイントからタイミング情報を受信することと、
前記第１アクセスポイントについての少なくとも１つの他のタイミング調整値を割り出すことであって、前記少なくとも１つの他のタイミング調整値は前記第１アクセスポイントと前記少なくとも１つの他のアクセスポイントとの間の少なくとも１つの距離に基づく、タイミング調整値を割り出すことと、
前記少なくとも１つの他のアクセスポイントおよび前記少なくとも１つの他のタイミング調整値からの前記タイミング情報に基づいて前記第１アクセスポイントについてのタイミングを確定することと、
をさらに含む、［３２］の方法。
［３７］前記第１アクセスポイントについての前記タイミングを割り出すことが、前記タイミング調整値および少なくとも１つの他のタイミング調整値の加重平均に基づく、
［３６］の方法。
［３８］前記第１アクセスポイントがフェムトノードまたはピコノードを具備する、［３２］の方法。
［３９］第１アクセスポイントにおいて、第２アクセスポイントからのタイミング情報を受信するように構成された受信器と、
前記第１アクセスポイントについてのタイミング調整値を割り出すように構成されたタイミング調整値割り出し器であって、前記タイミング調整値は前記第１アクセスポイントと前記第２アクセスポイントとの間の距離に基づいている、タイミング調整値を割り出すタイミング調整値割り出し器と、
前記受信されたタイミング情報および前記タイミング調整値に基づいて前記第１アクセスポイントについてのタイミングを確定するように構成されたタイミング確定器と、
を具備する通信装置。
［４０］前記タイミング調整値を割り出すことが、ネットワークエンティティーから前記タイミング調整値の表示を受信することを具備する、［３９］の装置。
［４１］前記第１アクセスポイントの位置を割り出すように構成された位置割り出し器と、
前記ネットワークエンティティーに前記位置の表示を送信するように構成された送信器であって、前記タイミング調整値の前記受信された表示は前記位置の前記表示に基づいている、送信器と、
をさらに含む、［４０］の装置。
［４２］前記タイミング調整値を割り出すことが、
前記第１アクセスポイントの位置を割り出すことと、
前記第２アクセスポイントの位置の表示を受信することと、
前記第１および第２アクセスポイントの位置に基づいて前記第１および第２アクセスポイント間の信号伝播遅延時間を割り出すことと、
具備する、［３９］の装置。
［４３］前記受信器が、少なくとも１つの他のアクセスポイントからタイミング情報を受信するようにさらに構成されており、
前記タイミング調整値割り出し器が、前記第１アクセスポイントについての少なくとも１つの他のタイミング調整値を割り出すようにさらに構成されており、
前記少なくとも１つの他のタイミング調整値が、前記第１アクセスポイントと前記少なくとも１つの他のアクセスポイントとの間の少なくとも１つの距離に基づいており、
前記タイミング確定器が、前記少なくとも１つの他のアクセスポイントおよび前記少なくとも１つの他のタイミング調整値からの前記タイミング情報に基づいて前記第１アクセスポイントについてのタイミングを確定するようにさらに構成されている、
［３９］の装置。
［４４］前記第１アクセスポイントについての前記タイミングを割り出すことが、前記タイミング調整値および少なくとも１つの他のタイミング調整値の加重平均に基づく、
［４３］の装置。
［４５］第１アクセスポイントにおいて、第２アクセスポイントからのタイミング情報を受信するための手段と、
前記第１アクセスポイントについてのタイミング調整値を割り出すための手段であって、前記タイミング調整値は前記第１アクセスポイントと前記第２アクセスポイントとの間の距離に基づいている、タイミング調整値を割り出すための手段と、
前記受信されたタイミング情報および前記タイミング調整値に基づいて前記第１アクセスポイントについてのタイミングを確定するための手段と、
を具備する通信装置。
［４６］前記タイミング調整値を割り出すことが、ネットワークエンティティーから前記タイミング調整値の表示を受信することを具備する、［４５］の装置。
［４７］前記第１アクセスポイントの位置を割り出すための手段と、
前記ネットワークエンティティーに前記位置の表示を送信することであって、前記タイミング調整値の前記受信された表示は前記位置の前記表示に基づいている、表示を送信するための手段と、
をさらに含む、［４６］の装置。
［４８］前記タイミング調整値を割り出すことが、
前記第１アクセスポイントの位置を割り出すことと、
前記第２アクセスポイントの位置の表示を受信することと、
前記第１および第２アクセスポイントの位置に基づいて前記第１および第２アクセスポイント間の信号伝播遅延時間を割り出すことと、
具備する、［４５］の装置。
［４９］前記受信するための手段が、少なくとも１つの他のアクセスポイントからタイミング情報を受信するように構成されており、
前記タイミング調整を割り出すための手段が、前記第１アクセスポイントについての少なくとも１つの他のタイミング調整値を割り出すように構成されており、
前記少なくとも１つの他のタイミング調整値が、前記第１アクセスポイントと前記少なくとも１つの他のアクセスポイントとの間の少なくとも１つの距離に基づいており、
前記タイミングを確定するための手段が、前記少なくとも１つの他のアクセスポイントおよび前記少なくとも１つの他のタイミング調整値からの前記タイミング情報に基づいて前記第１アクセスポイントについてのタイミングを確定するように構成されている、
［４５］の装置。
［５０］前記第１アクセスポイントについての前記タイミングを割り出すことが、前記タイミング調整値および少なくとも１つの他のタイミング調整値の加重平均に基づく、
［４９］の装置。
［５１］第１アクセスポイントにおいて、第２アクセスポイントからのタイミング情報を受信することと、
前記第１アクセスポイントについてのタイミング調整値を割り出すことであって、前記タイミング調整値は前記第１アクセスポイントと前記第２アクセスポイントとの間の距離に基づいている、タイミング調整値を割り出すことと、
前記受信されたタイミング情報および前記タイミング調整値に基づいて前記第１アクセスポイントについてのタイミングを確定することと、
をコンピュータに行なわせるためのコードを具備するコンピュータ可読媒体を具備するコンピュータプログラム製品。
［５２］前記タイミング調整値を割り出すことが、ネットワークエンティティーから前記タイミング調整値の表示を受信することを具備する、［５１］のコンピュータプログラム製品。
［５３］前記コンピュータ可読媒体が、
前記第１アクセスポイントの位置を割り出すことと、
前記ネットワークエンティティーに前記位置の表示を送信することであって、前記タイミング調整値の前記受信された表示は前記位置の前記表示に基づいている、表示を送信することと、
を前記コンピュータに行なわせるためのコードをさらに具備する、［５２］のコンピュータプログラム製品。
［５４］第１アクセスポイントと第２アクセスポイントとの間の距離を割り出すことと、
前記距離に基づいて前記第１アクセスポイントについてのタイミング調整値を割り出すことと、
前記タイミング調整値の表示を前記第１アクセスポイントに送信することと、
を具備する通信方法。
［５５］前記タイミング調整値が、前記第１アクセスポイントが前記第２アクセスポイントから受信した信号に基づいて前記第１アクセスポイントが導出し得るタイミングに関する、［５４］の方法。
［５６］前記タイミング調整値を割り出すことが、前記第１および第２アクセスポイント間の信号伝播遅延時間を割り出すことを具備する、［５４］の方法。
［５７］前記第１アクセスポイントから前記第１アクセスポイントの位置の表示を受信することをさらに具備し、
前記距離を割り出すことが前記受信された表示に基づく、
［５４］の方法。
［５８］前記第１アクセスポイントがフェムトノードまたはピコノードを具備する、［５４］の方法。
［５９］第１アクセスポイントと第２アクセスポイントとの間の距離を割り出すように構成された距離割り出し器と、
前記距離に基づいて前記第１アクセスポイントについてのタイミング調整値を割り出すように構成されたタイミング調整値割り出し器と、
前記タイミング調整値の表示を前記第１アクセスポイントに送信するように構成された送信器と、
を具備する通信装置。
［６０］前記タイミング調整値が、前記第１アクセスポイントが前記第２アクセスポイントから受信した信号に基づいて前記第１アクセスポイントが導出し得るタイミングに関する、［５９］の装置。
［６１］前記タイミング調整値を割り出すことが、前記第１および第２アクセスポイント間の信号伝播遅延時間を割り出すことを具備する、［５９］の装置。
［６２］前記第１アクセスポイントから前記第１アクセスポイントの位置の表示を受信するように構成された受信器をさらに具備し、
前記距離を割り出すことが前記受信された表示に基づく、
［５９］の装置。
［６３］第１アクセスポイントと第２アクセスポイントとの間の距離を割り出すための手段と、
前記距離に基づいて前記第１アクセスポイントについてのタイミング調整値を割り出すための手段と、
前記タイミング調整値の表示を前記第１アクセスポイントに送信するための手段と、
を具備する通信装置。
［６４］前記タイミング調整値が、前記第１アクセスポイントが前記第２アクセスポイントから受信した信号に基づいて前記第１アクセスポイントが導出し得るタイミングに関する、［６３］の装置。
［６５］前記タイミング調整値を割り出すことが、前記第１および第２アクセスポイント間の信号伝播遅延時間を割り出すことを具備する、［６３］の装置。
［６６］前記第１アクセスポイントから前記第１アクセスポイントの位置の表示を受信するための手段をさらに具備し、
前記距離を割り出すことが前記受信された表示に基づく、
［６３］の装置。
［６７］第１アクセスポイントと第２アクセスポイントとの間の距離を割り出すことと、
前記距離に基づいて前記第１アクセスポイントについてのタイミング調整値を割り出すことと、
前記タイミング調整値の表示を前記第１アクセスポイントに送信することと、
をコンピュータに行なわせるためのコードを具備するコンピュータ可読媒体を具備するコンピュータプログラム製品。
［６８］前記タイミング調整値を割り出すことが、前記距離に基づいて前記第１および第２アクセスポイント間の信号伝播遅延時間を割り出すことを具備する、
［６７］のコンピュータプログラム製品。
［６９］前記コンピュータ可読媒体が、前記第１アクセスポイントから前記第１アクセスポイントの位置の表示を受信することを前記コンピュータに行なわせるためのコードをさらに具備し、
前記距離を割り出すことが前記受信された表示に基づく、
［６７］のコンピュータプログラム製品。
【図１】
0005575943.tif 000002
【図２】
0005575943.tif 000003
【図３】
0005575943.tif 000004
【図４】
0005575943.tif 000005
【図５】
0005575943.tif 000006
【図６】
0005575943.tif 000007
【図７】
0005575943.tif 000008
【図８】
0005575943.tif 000009
【図９】
0005575943.tif 000010
【図１０】
0005575943.tif 000011
【図１１】
0005575943.tif 000012
【図１２】
0005575943.tif 000013
【図１３】
0005575943.tif 000014
【図１４】
0005575943.tif 000015
【図１５】
0005575943.tif 000016
【図１６】
0005575943.tif 000017